(57)【要約】      （修正有）【課題】チャネル品質情報（ＣＱＩ）及びクリアチャネルアセスメントプロトコル（ＣＣＡ）に基づいてリソースを割り振るワイヤレス通信のための方法、装置及びコンピュータ読み取り可能な媒体を提供する。【解決手段】アクセスポイントＡＰ１０４は、局１１２、１１４、１１６及び１１８のセットに、局のセットの各局にとって利用可能なアップリンク及び／又はダウンリンク送信のためのＵのセットを示すトリガフレームを送信する。トリガフレームは、各局に対してＲＵのセットについてのフィードバックを求める要求である。ＡＰは、各局から送信されたトリガフレームに基づいたアップリンクリソース上で、応答フレームを受信する。応答フレームは、ＲＵのセットについてのフィードバックを含み、かつ、アップリンクリソースに関連するチャネルコンディションとは無関係に受信される。フィードバックは、ＲＵのセットに基づくＲＵの順序付けられたリストである。【選択図】図１
2020074584.tif 000002
【特許請求の範囲】
【請求項１】
アクセスポイントによるワイヤレス通信の方法であって、
局のセットに、局の前記セットの各局にとって利用可能な、アップリンク送信のためのリソースユニット（ＲＵ）のセットを示すトリガフレームを送信することと、ここにおいて、前記トリガフレームは、各局に対してＲＵの前記セットについてのフィードバックを求める要求を備え、
各局から、前記送信されたトリガフレームに基づいたアップリンクリソース上で、応答フレームを受信することと、ここにおいて、前記応答フレームは、ＲＵの前記セットについての前記フィードバックを含み、かつ前記アップリンクリソースに関連するチャネルコンディションとは無関係に受信され、
を備える、方法。
【請求項２】
前記チャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、前記アップリンクリソースに関連するチャネルがビジーであることを示し、各局からの前記応答フレームは、前記チャネルがビジーである間に前記アップリンクリソース上で受信される、請求項１に記載の方法。
【請求項３】
前記フィードバックはＲＵの前記セットに基づくＲＵの順序付けられたリストであり、ＲＵの前記順序付けられたリストは、ＲＵの前記セットのＲＵがクリアチャネルアセスメント（ＣＣＡ）をクリアとしたかどうか、または各局のチャネル品質情報（ＣＱＩ）選好に基づいて、順序付けられる、請求項１に記載の方法。
【請求項４】
前記フィードバックはＲＵの前記セットに基づくＲＵの順序付けられたリストであり、ＲＵの前記順序付けられたリストは、リソースユニットの前記セットのサブセットであり、前記方法は、
前記受信された応答フレームと、前記受信された応答フレーム中に示されたＲＵの前記順序付けられたリストとに基づいて、アップリンク送信のためにスケジュールされるべき局のサブセットを決定することと、
アップリンク送信のために局の前記サブセット中の各局に割り振られたＲＵのサブセットを示す第２のトリガフレームを、局の前記サブセットに送信することと、
をさらに備える、請求項１に記載の方法。
【請求項５】
局の前記サブセットを前記決定することは、
局の前記セットの各局からの前記受信された応答フレームに基づいて、局の前記サブセットを選択することと、
ＲＵの前記順序付けられたリストに基づいて、少なくとも１つのＲＵロケーションを決定することと、
ＲＵの前記順序付けられたリストに基づいて、少なくとも１つのＲＵサイズを決定することと、
を備える、請求項４に記載の方法。
【請求項６】
前記第２のトリガフレームを送信する前に、ダウンリンクマルチユーザフレームを送信することをさらに備える、請求項４に記載の方法。
【請求項７】
前記トリガフレームが、各局に対してＲＵの前記セットについてのフィードバックを求める前記要求を示す値を備える、請求項１に記載の方法。
【請求項８】
ワイヤレス通信のための装置であって、前記装置がアクセスポイントであり、
局のセットに、局の前記セットの各局にとって利用可能な、アップリンク送信のためのリソースユニット（ＲＵ）のセットを示すトリガフレームを送信するための手段と、ここにおいて、前記トリガフレームは、各局に対してＲＵの前記セットについてのフィードバックを求める要求を備え、
各局から、前記送信されたトリガフレームに基づいたアップリンクリソース上で、応答フレームを受信するための手段と、ここにおいて、前記応答フレームは、ＲＵの前記セットについての前記フィードバックを含み、かつ前記アップリンクリソースに関連するチャネルコンディションとは無関係に受信され、
を備える、装置。
【請求項９】
前記チャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、前記アップリンクリソースに関連するチャネルがビジーであることを示し、各局からの前記応答フレームは、前記チャネルがビジーである間に前記アップリンクリソース上で受信される、請求項８に記載の装置。
【請求項１０】
前記フィードバックはＲＵの前記セットに基づくＲＵの順序付けられたリストであり、ＲＵの前記順序付けられたリストは、ＲＵの前記セットのＲＵがクリアチャネルアセスメント（ＣＣＡ）をクリアとしたかどうか、または各局のチャネル品質情報（ＣＱＩ）選好に基づいて、順序付けられる、請求項８に記載の装置。
【請求項１１】
前記フィードバックはＲＵの前記セットに基づくＲＵの順序付けられたリストであり、ＲＵの前記順序付けられたリストは、リソースユニットの前記セットのサブセットであり、前記装置は、
前記受信された応答フレームと、前記受信された応答フレーム中に示されたＲＵの前記順序付けられたリストとに基づいて、アップリンク送信のためにスケジュールされるべき局のサブセットを決定するための手段と、
アップリンク送信のために局の前記サブセット中の各局に割り振られたＲＵのサブセットを示す第２のトリガフレームを、局の前記サブセットに送信するための手段と、
をさらに備える、請求項８に記載の装置。
【請求項１２】
局の前記サブセットを決定するための前記手段が、
局の前記セットの各局からの前記受信された応答フレームに基づいて、局の前記サブセットを選択することと、
ＲＵの前記順序付けられたリストに基づいて、少なくとも１つのＲＵロケーションを決定することと、
ＲＵの前記順序付けられたリストに基づいて、少なくとも１つのＲＵサイズを決定することと、
を行うように構成される、請求項１１に記載の装置。
【請求項１３】
前記トリガフレームが、各局に対してＲＵの前記セットについてのフィードバックを求める前記要求を示す値を備える、請求項８に記載の装置。
【請求項１４】
ワイヤレス通信のための装置であって、前記装置がアクセスポイントであり、
メモリと、
前記メモリに結合された少なくとも１つのプロセッサと、
を備え、前記少なくとも１つのプロセッサが、
局のセットに、局の前記セットの各局にとって利用可能な、アップリンク送信のためのリソースユニット（ＲＵ）のセットを示すトリガフレームを送信することと、ここにおいて、前記トリガフレームは、各局に対してＲＵの前記セットについてのフィードバックを求める要求を備え、
各局から、前記送信されたトリガフレームに基づいたアップリンクリソース上で、応答フレームを受信することと、ここにおいて、前記応答フレームは、ＲＵの前記セットについての前記フィードバックを含み、かつ前記アップリンクリソースに関連するチャネルコンディションとは無関係に受信され、
を行うように構成される、装置。
【請求項１５】
前記チャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、前記アップリンクリソースに関連するチャネルがビジーであることを示し、各局からの前記応答フレームは、前記チャネルがビジーである間に前記アップリンクリソース上で受信される、請求項１４に記載の装置。
【請求項１６】
前記フィードバックはＲＵの前記セットに基づくＲＵの順序付けられたリストであり、ＲＵの前記順序付けられたリストは、ＲＵの前記セットのＲＵがクリアチャネルアセスメント（ＣＣＡ）をクリアとしたかどうか、または各局のチャネル品質情報（ＣＱＩ）選好に基づいて、順序付けられる、請求項１４に記載の装置。
【請求項１７】
前記フィードバックはＲＵの前記セットに基づくＲＵの順序付けられたリストであり、ＲＵの前記順序付けられたリストは、リソースユニットの前記セットのサブセットであり、前記少なくとも１つのプロセッサが、
前記受信された応答フレームと、前記受信された応答フレーム中に示されたＲＵの前記順序付けられたリストとに基づいて、アップリンク送信のためにスケジュールされるべき局のサブセットを決定することと、
アップリンク送信のために局の前記サブセット中の各局に割り振られたＲＵのサブセットを示す第２のトリガフレームを、局の前記サブセットに送信することと、
を行うようにさらに構成される、請求項１４に記載の装置。
【請求項１８】
前記少なくとも１つのプロセッサが、
局の前記セットの各局からの前記受信された応答フレームに基づいて、局の前記サブセットを選択することと、
ＲＵの前記順序付けられたリストに基づいて、少なくとも１つのＲＵロケーションを決定することと、
ＲＵの前記順序付けられたリストに基づいて、少なくとも１つのＲＵサイズを決定することと、
によって、局の前記サブセットを決定するように構成される、請求項１７に記載の装置。
【請求項１９】
前記少なくとも１つのプロセッサが、前記第２のトリガフレームを送信する前に、ダウンリンクマルチユーザフレームを送信するようにさらに構成される、請求項１７に記載の装置。
【請求項２０】
前記トリガフレームが、各局に対してＲＵの前記セットについてのフィードバックを求める前記要求を示す値を備える、請求項１４に記載の装置。
【発明の詳細な説明】
【関連出願の相互参照】
【０００１】
[0001]  本出願は、「CQI/CCA AWARE RESOURCE ALLOCATION」と題されて２０１６年１月８日に出願された米国仮出願第６２／２７６，７６８号、および「CHANNEL AWARE RESOURCE ALLOCATION」と題されて２０１７年１月５日に出願された米国特許出願第１５／３９９，６１０号の利益を主張し、それらは参照によって全体がここに明示的に組み込まれる。
【背景技術】
【０００２】
技術分野
[0002]  本開示は、一般に通信システムに関し、より具体的には、チャネル品質情報（ＣＱＩ）およびクリアチャネルアセスメント（ＣＣＡ）プロトコルに基づいて、リソースを割り振ることに関する。
【０００３】
背景技術
[0003]  多くの電気通信システムでは、通信ネットワークは、いくつかの相互作用する、空間的に隔てられたデバイス間でメッセージを交換するために使用される。ネットワークは、地理的な範囲に従って分類され得、それは例えば、メトロポリタンエリア、ローカルエリア、またはパーソナルエリアである可能性がある。そのようなネットワークは、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）とそれぞれ指定されるであろう。ネットワークはまた、様々なネットワークノードおよびデバイスを相互接続するために使用される交換（switching）／ルーティング技法（例えば、回路交換対パケット交換）、送信のために用いられる物理媒体のタイプ（例えば、ワイヤード対ワイヤレス）、および使用される通信プロトコルのセット（例えば、インターネットプロトコルスイート、ＳＯＮＥＴ（Synchronous Optical Networking）、イーサネット（登録商標）等）によって異なる。
【０００４】
[0004]  ワイヤレスネットワークは、ネットワーク要素がモバイルであり、よって動的接続性の必要性があるとき、またはネットワークアーキテクチャが固定ではなくアドホックのトポロジーで形成される場合、好ましいことが多い。ワイヤレスネットワークは、例えば、無線、マイクロ波、赤外線、可視光線（optical）等の周波数バンドにおける電磁波を使用して無誘導伝播モード（unguided propagation mode）において無形物理媒体を用いる。ワイヤレスネットワークは、固定のワイヤードネットワークに比べたとき、ユーザモビリティおよび迅速なフィールド展開を有利に促進（facilitate）する。
【発明の概要】
【０００５】
[0005]  本発明のシステム、方法、コンピュータ読み取り可能な媒体、およびデバイスは、各々いくつかの態様を有し、それらのうちのいずれのものも、本発明の望ましい特質を単体で担うものではない。以下の特許請求の範囲によって表される本発明の範囲を限定することなく、いくつかの特徴がこれより簡潔に説明される。この説明を考慮した後には、および特に「詳細な説明」と題されたセクションを読んだ後には、本発明の特徴が、ワイヤレスネットワークにおけるデバイスにどのように利点を提供するかが理解されることになる。
【０００６】
[0006]  本開示の一態様は、ワイヤレス通信のための装置（例えば、アクセスポイント）を提供する。装置は、局のセットに、局のセットの各局にとって利用可能な、アップリンク送信のためのリソースユニットのセットを示す制御フレームを送信するように構成され得る。制御フレームは、各局に対してリソースユニット（ＲＵ）のセットについてのフィードバックを求める要求であり得る。装置は、各局から、送信された制御フレームに基づいたアップリンクリソース上で、応答フレームを受信するように構成され得る。応答フレームは、ＲＵのセットについてのフィードバックを含み得、かつアップリンクリソースに関連するチャネルコンディションとは無関係に受信され得る。フィードバックは、ＲＵのセットに基づくＲＵの順序付けられたリスト（an ordered list of RUs）であり得る。
【０００７】
[0007]  本開示の別の態様は、ワイヤレス通信のための装置（例えば、局）を提供する。装置は、アクセスポイントから、アップリンク送信のために局にとって利用可能なリソースユニットのセットを示す制御フレームを受信するように構成され得る。制御フレームは、ＲＵのセットについてのフィードバックを求める要求であり得る。装置は、制御フレーム中に示されたＲＵのセットに関連するチャネルコンディションに基づいて、ＲＵのセットについてのフィードバックを決定するように構成され得る。装置は、局に割り振られたアップリンクリソース上で応答フレームを送信するように構成され得る。応答フレームは、決定されたフィードバックを含み得、かつアップリンクリソースに関連するチャネルコンディションとは無関係に送信され得る。
【０００８】
[0008]  別の態様では、ワイヤレス通信のための方法が提供される。方法は、アクセスポイントから、アップリンク送信のために局にとって利用可能なＲＵのセットを示すトリガフレームを受信することを含み得、ここでトリガフレームは、ＲＵのセットについてのフィードバックを求める要求である。方法は、トリガフレーム中に示されたＲＵのセットに関連するチャネルコンディションに基づいて、ＲＵのセットについてのフィードバックを決定することと、局に割り振られたアップリンクリソース上で応答フレームを送信することとを含み得、ここで応答フレームは、決定されたフィードバックを含み、かつアップリンクリソースに関連するチャネルコンディションとは無関係に送信される。一つの事例では、フィードバックを決定することは、ＲＵのセットの各ＲＵに関連するそれぞれのチャネルコンディションを決定することであって、それぞれのチャネルコンディションは、ＣＣＡ決定、ＮＡＶ設定、またはＣＱＩに基づく、決定することと、ＲＵのセットの各ＲＵに関連するそれぞれのチャネルコンディションに基づいて順序付けられるＲＵのリストを決定することと、を含み得る。別の事例では、フィードバックを決定することは、ＲＵのセット中の少なくとも１つのＲＵのために好ましいＭＣＳを決定することをさらに含み得る。別の事例では、アップリンクリソースに関連するチャネルコンディションは、ＣＣＡ決定、ＮＡＶ設定、ＥＤレベルが第１のしきい値を上回ること、またはＣＱＩが第２のしきい値を下回ること、のうちの１つに基づいて、アップリンクリソースに関連するチャネルがビジーであることを示し得る。応答フレームは、チャネルがビジーである間にアップリンクリソース上で送信される。別の事例では、方法は、アップリンク送信のために局に割り振られたＲＵのサブセットを示す第２のトリガフレームを受信することを含み得る。ＲＵのサブセットは、アクセスポイントに送信された決定されたフィードバックに基づき得る。
【０００９】
[0009]  別の態様では、ワイヤレス通信のための装置（例えば、局）が提供される。装置は、アクセスポイントから、アップリンク送信のために局にとって利用可能なＲＵのセットを示すトリガフレームを受信するための手段であって、ここにおいて、トリガフレームは、ＲＵのセットについてのフィードバックを求める要求である、受信するための手段と、トリガフレーム中に示されたＲＵのセットに関連するチャネルコンディションに基づいて、ＲＵのセットについてのフィードバックを決定するための手段と、局に割り振られたアップリンクリソース上で応答フレームを送信するための手段であって、ここで応答フレームは、決定されたフィードバックを含み、かつアップリンクリソースに関連するチャネルコンディションとは無関係に送信される、送信するための手段と、を含み得る。
【００１０】
[0010]  別の態様では、ワイヤレス通信のための装置（例えば、局）が提供される。装置は、メモリと、メモリに結合された少なくとも１つのプロセッサとを含み得る。少なくとも１つのプロセッサは、アクセスポイントから、アップリンク送信のために局にとって利用可能なＲＵのセットを示すトリガフレームを受信することであって、ここでトリガフレームは、ＲＵのセットについてのフィードバックを求める要求である、受信することと、トリガフレーム中に示されたＲＵのセットに関連するチャネルコンディションに基づいて、ＲＵのセットについてのフィードバックを決定することと、局に割り振られたアップリンクリソース上で応答フレームを送信することであって、ここで応答フレームは、決定されたフィードバックを含み、かつアップリンクリソースに関連するチャネルコンディションとは無関係に送信される、送信することと、を行うように構成され得る。
【００１１】
[0011]  別の態様では、コンピュータ実行可能コードを記憶する局のコンピュータ読み取り可能な媒体。コンピュータ読み取り可能な媒体は、アクセスポイントから、アップリンク送信のために局にとって利用可能なＲＵのセットを示すトリガフレームを受信することであって、トリガフレームは、ＲＵのセットについてのフィードバックを求める要求である、受信することと、トリガフレーム中に示されたＲＵのセットに関連するチャネルコンディションに基づいて、ＲＵのセットについてのフィードバックを決定することと、局に割り振られたアップリンクリソース上で応答フレームを送信することであって、ここで応答フレームは、決定されたフィードバックを含み、かつアップリンクリソースに関連するチャネルコンディションとは無関係に送信される、送信することと、を行うためのコードを含み得る。
【図面の簡単な説明】
【００１２】
【図１】[0012]  図１は、本開示の態様が用いられ得る例示的なワイヤレス通信システムを示す。
【図２】[0013]  図２は、チャネルコンディションに基づいたＭＵリソース割り振りのための方法の例示的な図を例示する。
【図３】[0014]  図３は、ＲＵフィードバックを要求するための例示的なトリガフレーム３００を例示する。
【図４】[0015]  図４は、図１のワイヤレス通信システム内でリソース割り振りのためのフィードバックを請求（solicits）するワイヤレスデバイスの例示的な機能ブロック図を示す。
【図５】[0016]  図５は、リソースユニットフィードバックに基づいたリソース割り振りの例示的な方法のフローチャートである。
【図６】[0017]  図６は、フィードバックに基づいてリソース割り振りを実施し得る例示的なワイヤレス通信デバイスの機能ブロック図である。
【図７】[0018]  図７は、図１のワイヤレス通信システム内で用いられ得るリソースユニットフィードバックを提供するワイヤレスデバイスの例示的な機能ブロック図を示す。
【図８】[0019]  図８は、ＭＵ送信のために利用可能なリソースユニットについてのフィードバックを提供する例示的な方法のフローチャートである。
【図９】[0020]  図９は、リソースユニットフィードバックを提供するための例示的なワイヤレス通信デバイスの機能ブロック図である。
【詳細な説明】
【００１３】
[0021]  新規のシステム、装置、コンピュータ読み取り可能な媒体、および方法の様々な態様が、以下で添付の図面を参照してより十分に説明される。しかしながら、本開示は、多くの異なる形式で具現化され得、本開示全体を通して提示される任意の特定の構造または機能に限定されるように解釈されるべきではない。むしろ、これらの態様は、本開示が徹底的で完全なものとなるように、および当業者に本開示の範囲を完全に伝えるように、提供されている。本明細書における教示に基づいて、当業者は、本開示の範囲が、本発明の任意の他の態様から独立してインプリメントされようがあるいは本発明の任意の他の態様と組み合わせてインプリメントされようが、ここに開示された新規のシステム、装置、コンピュータプログラム製品、および方法のいかなる態様もカバーするように意図されていることを、認識するはずである。例えば、ここに記載されるいくつの態様を使用しても、装置はインプリメントされ得る、または方法は実行され得る。加えて、本発明の適用範囲は、ここに記載される本発明の様々な態様に加えて、またはそれら以外の、他の構造、機能性、または構造および機能性を使用して実施されるそのような装置または方法をカバーするように意図されている。ここに開示されるいずれの態様も、特許請求の範囲の１つまたは複数の要素によって具現化され得ることが理解されるべきである。
【００１４】
[0022]  特定の態様がここに説明されるが、これらの態様の多くの変形および置換が、本開示の範囲に含まれる。好ましい態様のいくつかの利益および利点が述べられるが、本開示の範囲は、特定の利益、用途、または目的に限定されるようには意図されていない。むしろ、本開示の態様は、異なるワイヤレス技術、システム構成、ネットワークおよび送信プロトコルに広く適用可能であるように意図されており、それらのうちのいくつかは、好ましい態様の以下の説明に、および図に、例として例示される。詳細な説明および図面は、本開示を限定するものではなくそれを単に例示するものであり、本開示の範囲は、添付の特許請求の範囲およびそれらの同等物によって定義される。
【００１５】
[0023]  普及しているワイヤレスネットワーク技術は、様々なタイプのＷＬＡＮを含み得る。ＷＬＡＮは、広く使用されているネットワーキングプロトコルを用いて、隣接するデバイス同士を相互接続するために使用され得る。ここに説明される様々な態様は、例えばワイヤレスプロトコル等の、いかなる通信規格にも適用され得る。
【００１６】
[0024]  いくつかの態様では、ワイヤレス信号は、直交周波数分割多重（ＯＦＤＭ）、直接シーケンス拡散スペクトル（ＤＳＳＳ）通信、ＯＦＤＭ通信とＤＳＳＳ通信との組合せ、または他のスキームを使用して、８０２．１１プロトコルに従って送信され得る。８０２．１１プロトコルのインプリメンテーションは、センサ、メータリング（metering）、およびスマートグリッドネットワークのために使用され得る。有利には、８０２．１１プロトコルをインプリメントするある特定のデバイスの態様は、他のワイヤレスプロトコルをインプリメントするデバイスに比べてより少ない電力を消費し得る、および／または、比較的長距離、例えば約１キロメートルまたはそれより長い距離にわたってワイヤレス信号を送信するために使用され得る。
【００１７】
[0025]  いくつかのインプリメンテーションでは、ＷＬＡＮは、ワイヤレスネットワークにアクセスするコンポーネントである様々なデバイスを含む。例えば、２つのタイプのデバイス、アクセスポイント（ＡＰ）およびクライアント（局または「ＳＴＡ」とも呼ばれる）が存在し得る。一般に、ＡＰは、ＷＬＡＮのための基地局またはハブの役割を果たし得、ＳＴＡは、ＷＬＡＮのユーザの役割を果たす。例えば、ＳＴＡは、ラップトップコンピュータ、携帯情報端末（ＰＤＡ）、携帯電話等であり得る。一例では、ＳＴＡは、インターネットへの、または他のワイドエリアネットワークへの一般的な接続性を取得するために、Ｗｉ−Ｆｉ（例えば、ＩＥＥＥ８０２．１１プロトコル）準拠ワイヤレスリンクを介してＡＰに接続する。いくつかのインプリメンテーションでは、ＳＴＡはまた、ＡＰとしても使用され得る。
【００１８】
[0026]  アクセスポイントはまた、ノードＢ、無線ネットワークコントローラ（ＲＮＣ）、ｅノードＢ、基地局コントローラ（ＢＳＣ）、トランシーバ基地局（ＢＴＳ）、基地局（ＢＳ）、トランシーバ機能（ＴＦ）、無線ルータ、無線トランシーバ、接続ポイント、または何らかの他の用語を備えるか、それらとしてインプリメントされるか、またはそれらとして知られ得る。
【００１９】
[0027]  局はまた、アクセス端末（ＡＴ）、加入者局、加入者ユニット、モバイル局、リモート局、リモート端末、ユーザ端末、ユーザエージェント、ユーザデバイス、ユーザ装置、または何らかの他の用語を備えるか、それらとしてインプリメントされるか、またはそれらとして知られ得る。いくつかのインプリメンテーションでは、局は、セルラ電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備え得る。したがって、ここに教示される１つまたは複数の態様は、電話（例えば、セルラフォンまたはスマートフォン）、コンピュータ（例えば、ラップトップ）、ポータブル通信デバイス、ヘッドセット、ポータブルコンピューティングデバイス（例えば、携帯情報端末）、エンタテイメントデバイス（例えば、音楽またはビデオデバイス、あるいは衛星ラジオ）、ゲーミングデバイスまたはシステム、全地球測位システムデバイス、またはワイヤレス媒体を介して通信するように構成される任意の他の好適なデバイスに組み込まれ得る。
【００２０】
[0028]  「関連付けする（associate）」または「関連付け（association）」という用語、あるいはそのいかなる変形も、本開示のコンテキスト内で可能性のある最も広い意味を与えられるべきである。例として、第１の装置が第２の装置と関連付けするとき、それら２つの装置は直接的に関連付けられ得るか、または媒介装置が存在し得ることが理解されるべきである。簡潔さのために、２つの装置間で関連付けを確立するための処理は、一方の装置による「関連付け要求」とそれに続くもう一方の装置による「関連付け応答」とを必要とするハンドシェイクプロトコルを使用して説明されることになる。ハンドシェイクプロトコルは、例としては認証を提供するためのシグナリングのような、他のシグナリングを必要とし得ることが、当業者によって理解されることになる。
【００２１】
[0029]  「第１の」、「第２の」等のような指定を使用した本明細書における要素へのいかなる言及も、通常それら要素の数量または順序を限定しない。むしろ、これらの指定は、２つ以上の要素、または一要素の複数のインスタンス（instances）間で区別をする便利な方法として本明細書では使用されている。したがって、第１の要素および第２の要素への言及は、用いられることができるのが２つの要素のみであることも、または第１の要素が第２の要素より優先されなければならないことも、意味してはいない。加えて、項目のリスト「のうちの少なくとも１つ」に言及する表現は、単一のメンバ（members）を含む、それらの項目のうちの任意の組合せに言及するものである。例として、「Ａ、Ｂ、またはＣのうちの少なくとも１つ」は、ＡまたはＢまたはＣ、またはそれらの任意の組合せ（例えば、Ａ−Ｂ、Ａ−Ｃ、Ｂ−Ｃ、およびＡ−Ｂ−Ｃ）をカバーするように意図されている。
【００２２】
[0030]  上述したように、ここに説明されるある特定のデバイスは、例えば、８０２．１１規格をインプリメントし得る。そのようなデバイスは、ＳＴＡまたはＡＰ、あるいは他のデバイスのいずれとして使用されるかに関わらず、スマートメータリングのために、またはスマートグリッドネットワークにおいて、使用され得る。そのようなデバイスは、センサアプリケーションを提供し得るか、またはホームオートメーションで使用され得る。それらデバイスは、代わりにまたはさらに、例えばパーソナルヘルスケアのために、ヘルスケアコンテキストにおいて使用され得る。それらはまた、拡張された範囲のインターネット接続性（例えば、ホットスポット用の）を可能にするために、またはマシン同士の通信をインプリメントするために、監視（surveillance）に使用され得る。
【００２３】
[0031]  図１は、本開示の態様が用いられ得る例示的なワイヤレス通信システム１００を示す。ワイヤレス通信システム１００は、ワイヤレス規格、例えば８０２．１１規格に準じて動作し得る。ワイヤレス通信システム１００は、ＡＰ１０４を含み得、それはＳＴＡ（例えば、ＳＴＡ１１２、１１４、１１６、および１１８）と通信する。
【００２４】
[0032]  多様な処理および方法が、ワイヤレス通信システム１００におけるＡＰ１０４とＳＴＡとの間の送信のために使用され得る。例えば、信号は、ＯＦＤＭ／ＯＦＤＭＡ技法に従って、ＡＰ１０４とＳＴＡとの間で送られ得るおよび受信され得る。この場合には、ワイヤレス通信システム１００は、ＯＦＤＭ／ＯＦＤＭＡシステムと呼ばれ得る。代替的に、信号は、ＣＤＭＡ技法に従って、ＡＰ１０４とＳＴＡとの間で送られ得るおよび受信され得る。この場合には、ワイヤレス通信システム１００は、ＣＤＭＡシステムと呼ばれ得る。
【００２５】
[0033]  ＡＰ１０４からＳＴＡのうちの１つまたは複数への送信を容易にする通信リンクは、ダウンリンク（ＤＬ）１０８と呼ばれ得、ＳＴＡのうちの１つまたは複数からＡＰ１０４への送信を容易にする通信リンクは、アップリンク（ＵＬ）１１０と呼ばれ得る。代替的に、ダウンリンク１０８は、フォワードリンクまたはフォワードチャネルと呼ばれ得、アップリンク１１０は、リバースリンクまたはリバースチャネルと呼ばれ得る。いくつかの態様では、ＤＬ通信は、ユニキャストまたはマルチキャストトラフィックインジケーションを含み得る。
【００２６】
[0034]  ＡＰ１０４は、著しいアナログデジタル変換（ＡＤＣ）クリッピングノイズを生じさせることなくＡＰ１０４が１つより多くのチャネル上で複数のＵＬ通信を同時に受信し得るように、いくつかの態様では隣接チャネル干渉（ＡＣＩ）を抑制し得る。ＡＰ１０４は、例えば、チャネルごとに別個の有限インパルス応答（ＦＩＲ）フィルタを有すること、または増大されたビット幅でより長いＡＤＣバックオフ期間を有することによって、ＡＣＩの抑制を改善し得る。
【００２７】
[0035]  ＡＰ１０４は、基地局として機能し、基本サービスエリア（ＢＳＡ）１０２においてワイヤレス通信カバレッジを提供し得る。ＢＳＡ（例えば、ＢＳＡ１０２）は、ＡＰ（例えば、ＡＰ１０４）のカバレッジエリアである。ＡＰ１０４は、ＡＰ１０４に関連付けられかつ通信のためにＡＰ１０４を使用するＳＴＡと併せて、基本サービスセット（ＢＳＳ）と呼ばれ得る。ワイヤレス通信システム１００は、中央ＡＰ（例えば、ＡＰ１０４）を有さない可能性があり、むしろ複数のＳＴＡ間のピアツーピアネットワークとして機能し得ることに留意されたい。したがって、ここに説明されるＡＰ１０４の機能は、代替的に、ＳＴＡのうちの１つまたは複数によって実施され得る。
【００２８】
[0036]  ＡＰ１０４は、１つまたは複数のチャネル（例えば、各チャネルが１つの周波数バンド幅を含む、複数のナローバンドチャネル）上で、ダウンリンク１０８のような通信リンクを介して、ワイヤレス通信システム１００の他のノード（ＳＴＡ）に、ビーコン信号（または単に「ビーコン」）を送信し得、それは他のノード（ＳＴＡ）がＡＰ１０４とそれらのタイミングを同期するのに役立ち得る、またはそれは他の情報または機能性を提供し得る。そのようなビーコンは、周期的に送信され得る。一態様では、連続する複数の送信間の期間は、スーパーフレームと呼ばれ得る。ビーコンの送信は、いくつかのグループまたはインターバルに分割され得る。一態様では、ビーコンは、共通クロックを設定するためのタイムスタンプ情報、ピアツーピアネットワーク識別子、デバイス識別子、性能情報、スーパーフレーム持続時間、送信方向情報、受信方向情報、近隣リスト（neighbor list）、および／または拡張された近隣リストのような情報に限定されるわけではないがそれらを含み得、それらのうちのいくつかは、以下でさらに詳細に説明される。したがって、ビーコンはいくつかのデバイス間で共通の（例えば、共有される）情報と、所与のデバイスに特有の情報との両方を含み得る。
【００２９】
[0037]  いくつかの態様では、ＳＴＡ（例えば、ＳＴＡ１１４）は、ＡＰ１０４に通信を送るために、および／またはＡＰ１０４から通信を受信するために、ＡＰ１０４に関連付けすることが必要とされ得る。一態様では、関連付けするための情報は、ＡＰ１０４によってブロードキャストされるビーコンに含まれる。そのようなビーコンを受信するために、ＳＴＡ１１４は、例えば、カバレッジ領域上で広範なカバレッジ探索（a broad coverage search）を実施し得る。探索はまた、ＳＴＡ１１４によって、例えば灯台のような方法で（in a lighthouse fashion）カバレッジ領域をスイープすることによって実施され得る。関連付けするための情報を受信した後で、ＳＴＡ１１４は、関連付けプローブまたは要求のような基準信号をＡＰ１０４に送信し得る。いくつかの態様では、ＡＰ１０４は、例えば、インターネットまたは公衆交換電話ネットワーク（ＰＳＴＮ）のようなより大きなネットワークと通信するために、バックホールサービスを使用し得る。
【００３０】
[0038]  一態様では、ＡＰ１０４は、様々な機能を実施するための１つまたは複数のコンポーネントを含み得る。例えば、ＡＰ１０４は、フィードバック情報に基づいて、ＭＵ送信のためのリソースの割り振りに関係するプロシージャを実施するための、リソース割り振りコンポーネント１２４を含み得る。この例では、リソース割り振りコンポーネント１２４は、局のセットに、局のセットの各局にとって利用可能な、アップリンク送信のためのリソースユニットのセットを示す制御フレームを送信するように構成され得る。制御フレームは、各局に対してＲＵのセットについてのフィードバックを求める要求であり得る。リソース割り振りコンポーネント１２４は、各局から、送信された制御フレームに基づいたアップリンクリソース上で、応答フレームを受信するように構成され得る。応答フレームは、ＲＵのセットについてのフィードバックを含み得、かつアップリンクリソースに関連するチャネルコンディションとは無関係に受信され得る。フィードバックは、ＲＵのセットに基づくＲＵの順序付けられたリストであり得る。
【００３１】
[0039]  別の態様では、ＳＴＡ１１４は、様々な機能を実施するための１つまたは複数のコンポーネントを含み得る。例えば、ＳＴＡ１１４は、ＭＵ送信のために利用可能なリソースユニットについてのフィードバックを提供することに関係するプロシージャを実施するための、フィードバックコンポーネント１２６を含み得る。この例では、フィードバックコンポーネント１２６は、アクセスポイントから、アップリンク送信のために局にとって利用可能なリソースユニットのセットを示す制御フレームを受信するように構成され得る。制御フレームは、ＲＵのセットについてのフィードバックを求める要求であり得る。フィードバックコンポーネント１２６は、制御フレーム中に示されたＲＵのセットに関連するチャネルコンディションに基づいて、ＲＵのセットについてのフィードバックを決定するように構成され得る。フィードバックコンポーネント１２６は、局に割り振られたアップリンクリソース上で応答フレームを送信するように構成され得る。応答フレームは、決定されたフィードバックを含み得、かつアップリンクリソースに関連するチャネルコンディションとは無関係に送信され得る。
【００３２】
[0040]  Ｗｉ−Ｆｉネットワークでは、ＡＰおよびＳＴＡのようなワイヤレスデバイスは、データが別のワイヤレスデバイスに送信され得るかどうかを決定する目的で、送信チャネルがアイドルであるか、またはビジーであるかを決定するために、クリアチャネルアセスメント（ＣＣＡ）を実施し得る。ＣＣＡは、２つのコンポーネント、つまりキャリア検知（ＣＳ：carriers sense）およびエネルギ検出を有する。キャリア検知は、到来する（incoming）Ｗｉ−Ｆｉ信号プリアンブル、つまり受信機が送信機からのワイヤレス信号を獲得（acquire）し送信機と同期することを可能にする他のワイヤレスデバイスからの信号を、ワイヤレスデバイス（例えば、ＡＰまたはＳＴＡ）が検出および復号する能力を指す。例えば、第１のＡＰは、Ｗｉ−Ｆｉ信号プリアンブルをブロードキャストし得、Ｗｉ−Ｆｉ信号プリアンブルは、第２のＡＰまたはＳＴＡによって検出され得る。同様に、第３のＡＰは、Ｗｉ−Ｆｉ信号プリアンブルをブロードキャストし得、Ｗｉ−Ｆｉ信号プリアンブルは、第２のＡＰによって検出され得る。第２のＡＰがＷｉ−Ｆｉ信号プリアンブルのうちの１つまたは複数を検出するとき、第２のＡＰは、送信チャネルがビジーであると決定し得、データを送信しない可能性がある。ＣＣＡは、Ｗｉ−Ｆｉ信号プリアンブルに関連する送信フレーム長の間、ビジーのままであり得る。
【００３３】
[0041]  ＣＣＡの第２のコンポーネントは、エネルギ検出であり、それはワイヤレスデバイスが送信チャネル上に存在するエネルギレベルを検出する能力を指す。エネルギレベルは、異なる干渉ソース、Ｗｉ−Ｆｉ送信、ノイズフロア、および／または周囲のエネルギに基づき得る。Ｗｉ−Ｆｉ送信は、破損しているかまたは弱すぎて送信がもはや復号されることができない識別不能なＷｉ−Ｆｉ送信を含み得る。送信チャネルがビジーである時間の正確な長さが知られ得るキャリア検知とは異なり、エネルギ検出は、エネルギが依然として存在するかどうかを決定するために送信チャネルの周期的なサンプリングを使用する。さらに、エネルギ検出は、報告されたエネルギレベルが送信チャネルをビジーであるまたはアイドルであると報告するために適切であるかどうかを決定するために使用される、少なくとも１つのしきい値を必要とし得る。このエネルギレベルは、ＥＤレベル／ＥＤしきい値レベルまたはＣＣＡ感度レベルと呼ばれ得る。例えば、ＥＤレベルがしきい値を上回る場合、ワイヤレスデバイスは、送信を控えることによって、他のデバイスに譲歩（defer to）し得る。
【００３４】
[0042]  ワイヤレスネットワークでは、ＡＰは、アップリンク送信（例えば、アップリンクマルチユーザ（ＵＬ  ＭＵ）送信）のためにおよび／またはＤＬ  ＭＵ送信のためにＳＴＡに割り振られるリソースユニット（ＲＵ）のセットを示すために、制御フレーム（例えば、トリガフレーム）をＳＴＡに送信し得る。一態様では、ＳＴＡは、制御フレーム中に示されたＲＵのうちのいずれか上で送信するかどうかを決定する際に、ＲＵのセットに関連するＣＣＡステータスを考慮し得る。割り振られたＲＵのセットに関してチャネルがビジーであることをＣＣＡステータスが示す場合には、ＳＴＡは、ＲＵのそのセット上で送信をしない可能性がある。別の態様では、ＳＴＡは、チャネルがビジーであるかどうかを決定するために、割り振られたＲＵが利用可能である時間についてのネットワーク割り振りベクトル（ＮＡＶ）設定を考慮し得る。別の態様では、ＳＴＡは、割り振られたＲＵ上で送信するべきかどうかを決定するために、割り振られたＲＵに関連するチャネル品質情報（ＣＱＩ）を考慮し得る。一例では、チャネルがビジーであることをＣＣＡステータスおよび／またはＮＡＶ設定が示すとき、またはチャネルコンディションが不良であることをＣＱＩが示すとき、ＳＴＡは、トリガフレームに応答しない可能性がある、および／または送信のために割り振られたＲＵを使用しない可能性がある。したがって、ＳＴＡに割り振られている利用可能なリソースユニットは、未使用のままとされ得る。未使用の割り振られたＲＵの数を減少させる必要がある。
【００３５】
[0043]  図２は、チャネルコンディションに基づいたＭＵリソース割り振りのための方法の例示的な図２００、２５０を例示する。図２００を参照すると、ＡＰは、ＢＳＡ内のＳＴＡ１〜８にサービス提供し得る。ＡＰは、ＵＬ  ＭＵおよび／またはＤＬ  ＭＵ送信のためにＳＴＡ１〜８に割り振られ得るリソースユニットのセットを決定し得る。例えば、ＡＰは、使用されていないリソースユニットを識別し得、そのリソースユニットのサブセットをＵＬおよび／またはＤＬ  ＭＵ送信のために割り振り得る。２０２において、ＡＰは、ＤＬ送信を介してＳＴＡ１〜８に第１のトリガフレーム（または別のＤＬ／ＵＬ  ＭＵ制御フレーム）を送信し得る。第１のトリガフレームは、ＳＴＡ１〜８にとって利用可能なＵＬ  ＭＵ送信のためのリソースユニットのセットを示し得る。一態様では、第１のトリガフレームは、第１のトリガフレームがＳＴＡ１〜８を対象とすることを示すために、ＳＴＡ１〜８の各々に関連する識別子を含み得る。第１のトリガフレームは、ＳＴＡ１〜８の各々について別個のＲＵのセットを示し得る。一態様では、第１のトリガフレームは、各ＳＴＡにとって利用可能なＲＵのセットについてのフィードバックを求める要求を表し得る。ＡＰは、制御応答フレームにおけるフィードバック（例えば、クライアント接続品質（ＣＣＱ）フィードバックおよび／またはＣＱＩフィードバック）についてポーリングするために第１のトリガフレームを利用し得る。一態様では、制御応答フレームは、高効率アグリゲーション（ＨＥ−Ａ：high-efficiency aggregation）制御フレームまたは向上された送信可（Ｅ−ＣＴＳ：enhanced clear to send）フレームの変形であり得る。例えば、第１のトリガフレームは、フィードバック要求ビットを含み得る。フィードバック要求ビットが１に設定されるとき、第１のトリガフレームは、第１のトリガフレーム中に示されるリソースユニットに関連するフィードバック情報を求める要求を表し得る。フィードバック要求ビットが０に設定されるとき、第１のトリガフレームは、第１のトリガフレーム中に示されるリソースユニットに関連するフィードバック情報を要求しない可能性がある。
【００３６】
[0044]  第１のトリガフレームを受信すると、ＳＴＡ１〜８の各々は、第１のトリガフレームに示されるように各それぞれのＳＴＡに割り振られたＲＵのセットを決定し得る。第１のトリガフレームがフィードバックを求める要求であるとすれば、各ＳＴＡは、第１のトリガフレーム内で他のＳＴＡに割り振られたＲＵを含む、第１のトリガフレーム中に示されるＲＵの利用可能なセットについてのフィードバックを決定し得る。一例では、ＳＴＡ１は、ＳＴＡ１に割り振られたＲＵのセットを決定し得る。一態様では、ＳＴＡ１は、ＳＴＡ１に割り振られたＲＵのセットに対してＣＣＡを実施し得る。この態様では、ＳＴＡ１は、測定されたエネルギレベルがエネルギ検出レベルしきい値を上回るかどうかを決定するためにリソースユニットのセット上のエネルギレベルを測定し得るか、またはリソースユニットのセット上でいずれかのプリアンブルが検出されたかどうかを決定し得る。ＳＴＡ１は、ＲＵのセット中のＲＵのうちの少なくともいくつかがＣＣＡをクリアとする（clear）（例えば、ＲＵのうちの少なくともいくつかについての測定されたエネルギレベルがエネルギ検出レベルしきい値を下回る、および／またはＲＵのうちの少なくともいくつかの上でプリアンブルが検出されなかった）ことを決定し得る。別の態様では、ＳＴＡ１は、ＳＴＡ１におけるＮＡＶ設定に基づいて、ＲＵのセットについてチャネルがビジーであるかどうかを決定し得る。さらに別の態様では、ＳＴＡ１は、（例えば、第１のトリガフレーム内のＳＴＡ２〜８等の）他のＳＴＡに割り振られたＲＵを含む、ＲＵのセット中の各ＲＵについてＣＱＩを測定し得る。前述の内容に基づいて、ＳＴＡ１は、ＣＣＡをクリアとした、および／またはＮＡＶ設定に基づいて使用されていない、ＲＵのセット中の１つまたは複数のＲＵを決定し得る。ＣＣＡをクリアとした１つまたは複数のＲＵは、ＳＴＡ１によって使用されることになるＲＵを表し得る。さらに、ＳＴＡ１はまた、１つまたは複数のＲＵの各々についてＣＱＩを測定し得る。
【００３７】
[0045]  ２０４において、ＳＴＡ１は、制御応答（Ｃ−ＲＰ）フレームにおいて、１つまたは複数のＲＵのインジケーションをＡＰに送信し得る。制御応答フレームにおいて、１つまたは複数のＲＵは、ＣＱＩの観点による選好（preference）の順序でリスト化（listed）され得る。例えば、１番目にリストされたＲＵ（the first RU listed）は最も高いＣＱＩを有し得、最後にリストされたＲＵ（the last RU listed）は最も低いＣＱＩを有し得る。別の態様では、ＤＬ  ＭＵリソースユニットに関して、ＳＴＡ１はさらに、ＲＵ上でデータを受信するために使用されるのに好ましいＭＣＳを決定し得、制御応答フレームにおいて各ＲＵに関連するその好ましいＭＣＳを送信し得る。
【００３８】
[0046]  ＳＴＡ１は、第１のトリガフレーム中に示されるアップリンクリソース上で制御応答フレームを送信し得る。一態様では、そのアップリンクリソースは、ＲＵのセットに示されるリソースユニットのうちの１つであり得る。別の態様では、そのアップリンクリソースは、制御応答フレームを送信するための専用のＲＵであり得る。アップリンクリソース上で制御応答フレームを送信するとき、ＳＴＡ１は、アップリンクリソースに関連するＣＱＩ情報、ＮＡＶ設定、および／またはＣＣＡを無視し得る。例えば、アップリンクリソースがＣＣＡをクリアとしない（例えば、アップリンクリソース上で検出されたプリアンブルまたは測定されたエネルギレベルがしきい値を上回る）ときや、アップリンクリソース上での送信がＮＡＶ設定に基づいて別の進行中の（ongoing）送信と干渉し得るときや、またはアップリンクリソースが不良なチャネル品質を有するチャネルに関連するときでさえも、ＳＴＡ１は、ＲＵのセットについてのフィードバックを提供するために制御応答フレームをＡＰに送信し得る。言い換えれば、アップリンクリソース上での制御応答フレームの送信は、アップリンクリソースに関連するチャネルステータスとは無関係であり得、故に、制御応答フレームは、アップリンクリソースに関連するチャネルがビジーであるときでさえ送信され得る。
【００３９】
[0047]  図２００を参照すると、ＳＴＡ３、４、６、８は、ＣＣＡをクリアとする第１のトリガフレーム中に示される１つまたは複数のＲＵを、同様に決定し得る。さらに、ＳＴＡ３、４、６、および８はまた、２０４において、それぞれの制御応答フレームをＡＰに送信し得る。それぞれの制御応答フレームの各々は、ＣＣＡをクリアとした１つまたは複数のＲＵを示し得、１つまたは複数のＲＵは、（例えば、ＣＱＩに基づいた）選好の順序でリスト化され得る。しかしながら、ＳＴＡ２、５、７、９は、ＳＴＡ２、５、７、９にとって利用可能なＲＵのセットに示されるＲＵのうちのいずれも、ＣＣＡをクリアとしない（またはＮＡＶ設定に従って利用可能でない）ことを決定し得る。したがって、ＳＴＡ２、５、７、９は各々、ＳＴＡ２、５、７、９が第１のトリガフレーム中に示されるリソースのいずれにおいても送信しないことを示すそれぞれの制御応答フレームを、ＡＰに送信し得る。
【００４０】
[0048]  ＲＵのセットについてのフィードバックを含む様々な制御応答フレームをＳＴＡ１〜８から受信した後で、ＡＰは、ＵＬ  ＭＵ送信についてスケジュールされるべきＳＴＡのサブセットを決定し得る。上述したようにＳＴＡ２、５、７、９は、（例えば、ＲＵがＣＣＡをクリアとしなかったので、またはＳＴＡがもはや送信するデータを有さないので）ＳＴＡ２、５、７、９がＲＵのそれぞれのセット上で送信しないことを示し得る。ＳＴＡ１、３、４、６、８の各々から、ＡＰは、ＳＴＡが送信をそれ上で行い得る１つまたは複数のＲＵに関連する選好を示す、それぞれの順序付けられたＲＵのリストを受信し得る。受信されたフィードバックに基づいて、ＡＰは、ＣＣＡをクリアとした１つまたは複数のＲＵを示したＳＴＡ１、３、５、６、８のサブセットを選択し得る。ＡＰは、順序付けられたリストにおいて各ＳＴＡによって示される選好に基づいて、ＳＴＡ１、３、５、６、８に割り振られるべきＲＵサイズおよびＲＵロケーションを決定することによって、ＲＵの更新されたセットを割り振り得る。
【００４１】
[0049]  一態様では、ＲＵの順序付けられたリストは、チャネル利用可能性ビットマップであり得る。チャネル利用可能性マップは、（例えば、２０ＭＨｚチャネル、４０ＭＨｚチャネル、８０ＭＨｚチャネル、または１６０ＭＨｚチャネル等の）ＲＵの順序付けられたリストを含む。例えばＲＵに対応するビットが１に設定されるときには、ＲＵは、チャネル測定値に基づいて、ＳＴＡ１にとって利用可能であり得る。対応するビットが０に設定されるときには、ＲＵはＳＴＡ１にとって利用可能でない可能性がある。
【００４２】
[0050]  更新されたＲＵ割り振りに基づいて、２０６において、ＡＰは、ＳＴＡ１、３、４、６、８に割り振られたＲＵのサブセットを示す、ＳＴＡ１、３、４、６、８のための第２のトリガフレームを送り得る。図２００に示されるように、ＳＴＡ１、３、８は、ＳＴＡ４、６に比べてより多くのＲＵを割り振られ得る、なぜならある特定のＲＵについてのＳＴＡ１、３、８に関するＣＱＩはＳＴＡ４、６についてのＣＱＩよりも良い可能性があるからである。したがって、ＡＰは、より良いチャネル品質を有するＳＴＡに、より多くの量のＲＵを割り振り得る。
【００４３】
[0051]  ２０８において、第２のトリガフレームを受信した後、ＳＴＡ１、３、４、６、８は、第２のトリガフレームに示された更新されたリソース割り振りに基づいて、ＡＰにＵＬデータを送信し得る。一態様では、ＵＬデータは、アグリゲートされた媒体アクセス制御（ＭＡＣ）プロトコルデータユニット（ＡＭＰＤＵ）において送信され得る。２１０において、ＳＴＡ１、３、４、６、８は、第１のトリガフレームおよび／または第２のトリガフレーム中に示されるリソースのセットに基づいて、ＡＰからＤＬ  ＡＭＰＤＵを受信し得る。
【００４４】
[0052]  一態様では、ＡＰは、ＳＴＡの報告されたＲＵの選好に基づいてＵＬのための第２のトリガフレームを生成するのに十分な時間を有しない可能性がある。この態様では、ＡＰは、図２５０に示されるように、第２のトリガフレームを送る前に、最初にＤＬ  ＭＵフレームを送信することによって、第２のトリガフレームを生成するためにより多くの時間をリザーブ（reserve）し得る。
【００４５】
[0053]  図２５０を参照すると、２５２において、ＡＰは、ＵＬおよび／またはＤＬ  ＭＵ送信のためにＳＴＡ１〜８にとって利用可能なＲＵのセットを示す第１のトリガフレームを、ＳＴＡ１〜８に送り得る。第１のトリガフレームを受信すると、ＳＴＡ１〜８は、ＲＵのセット中の１つまたは複数のＲＵがＣＣＡをクリアとするかどうかを決定し得、もしそうである場合、１つまたは複数のＲＵに関連する測定されたＣＱＩに従って、１つまたは複数のＲＵを順序付け得る。２５４において、ＳＴＡ１〜８は各々、ＡＰに制御応答フレームを送信し得る。ＡＰは、ＳＴＡ１〜８から制御応答フレームを受信し得る。各制御応答フレームは、ＣＣＡをクリアとしたＲＵのセット内の１つまたは複数のリソースユニットを示し得る。複数のＲＵが制御応答フレームに示される場合、ＲＵはまた、ＳＴＡに関する選好またはＣＱＩ測定値に基づいて、順序付けられ得る。一態様では、ＡＰは、第２のトリガフレームを生成するのに十分な時間を有しない可能性がある（例えば、時間制約のあるＤＬデータ（time-sensitive DL data）が送信される準備ができている）。そうすると、２５６において、ＡＰは、最初に第１のトリガフレーム中に示されるＤＬリソースに基づいて、ＳＴＡ（例えば、ＳＴＡ１、３、４、６、８）にＤＬパケットを送信し得る。続いて、ＡＰは、図２００に関して説明されたＵＬリソース割り振りに関するものと同様の方法で、ＵＬリソース割り振りを決定し得る。２５４において受信されるフィードバックに基づいてリソース割り振りを決定した後、ＡＰは、ＳＴＡのサブセット（例えば、ＳＴＡ１、３、４、６、８）に、２５８において、第２のトリガフレームを送信し得る。ＳＴＡのサブセットは、第２のトリガフレームを受信し得、そして２６０において、ＵＬデータをＡＰに送信し得る。
【００４６】
[0054]  図３は、ＲＵフィードバックを要求するための例示的なトリガフレーム３００を例示する。トリガフレーム３００は、ＤＬおよびＵＬ  ＭＵ送信のためのリソースについてのフィードバックを請求するために使用され得る。トリガフレームは、フレーム制御フィールド３０２、持続時間フィールド３０４、受信機アドレス（ＲＡ）フィールド３０６（または複数のＲＡフィールド）、送信アドレス（ＴＡ）フィールド３０８、共通情報フィールド３１０、１つまたは複数のユーザ情報フィールド３１２、パディング（padding）３１４、およびフレームチェックシーケンス３１６を含み得る。ＲＡフィールド３０６は、受信側ＳＴＡのアドレスを識別し得る。トリガフレーム３００が１つの受信側ＳＴＡを有する場合には、ＲＡフィールド３０６は、ＳＴＡ（例えば、図２におけるＳＴＡ１）のＭＡＣアドレスである。トリガフレーム３００が複数の受信側ＳＴＡを有する場合には、ＲＡフィールド３０６は、ブロードキャストアドレスを含み得る。ＴＡフィールド３０８は、トリガフレームを送信するデバイス（例えば、ＡＰ）のアドレスを含み得る。共通情報フィールド３１０は、いくつかのサブフィールドを含み得る。一態様では、共通情報フィールド３１０は、トリガフレーム３００がＲＵフィードバックについての報告を要求するかどうかを示し得る。例えば、共通情報フィールド３１０は、ＡＰがＲＵについてのフィードバックを要求するかどうかを示すために使用されるフィードバック要求ビットを含み得る。別の態様では、フィードバック要求ビットは、トリガフレーム３００内の任意の他のフィールドに含まれ得る。例えば、１つまたは複数のユーザ情報フィールド３１２の各々は、各別個のＳＴＡを対象とするフィードバック要求ビットを含み得る。別の態様では、フィードバック要求ビットは、トリガフレーム３００が割り振られたＲＵについてのフィードバックを要求するまたはクエリ（queries）するタイプであることを示し得る。
【００４７】
[0055]  図３を参照すると、ユーザ情報フィールドは、関連付けＩＤ（ＡＩＤ）サブフィールド３１８、ＲＵ割り振りサブフィールド３２０、コーディングタイプサブフィールド３２２、ＭＣＳサブフィールド３２４、および他のサブフィールドを含み得る。ＡＩＤサブフィールド３１８は、そのユーザ情報フィールドが対象とするユーザ（the user for which the user info field is intended）を識別し得る。ＲＵ割り振りサブフィールド３２０は、ＡＩＤサブフィールド３１８において識別されたＳＴＡに割り振られる１つまたは複数のリソースユニットを示し得る。コーディングタイプサブフィールド３２２は、コードタイプ（例えば、バイナリ畳み込みコーディングまたは低密度パリティチェックコーディング）を示す。ＭＣＳサブフィールド３２４は、ＡＩＤサブフィールド３１８において識別されたＳＴＡに割り当てられるＭＣＳを示し得る。パディングサブフィールド３１４は、受信側ＳＴＡに、応答を準備するための時間をより多く与えるために、フレーム長を拡張する。ＦＣＳサブフィールド３１６は、トリガフレーム３００のエラー検出を可能にする。
【００４８】
[0056]  図４は、図１のワイヤレス通信システム１００内でリソース割り振りのためのフィードバックを請求するワイヤレスデバイス４０２の例示的な機能ブロック図を示す。ワイヤレスデバイス４０２は、ここに説明された様々な方法をインプリメントするように構成され得るデバイスの例である。例えば、ワイヤレスデバイス４０２は、ＡＰ（例えば、ＡＰ１０４）を備え得る。
【００４９】
[0057]  ワイヤレスデバイス４０２は、ワイヤレスデバイス４０２の動作を制御するプロセッサ４０４を含み得る。プロセッサ４０４はまた、セントラルプロセシングユニット（ＣＰＵ）とも呼ばれ得る。メモリ４０６は、読み取り専用メモリ（ＲＯＭ）とランダムアクセスメモリ（ＲＡＭ）の両方を含み得、プロセッサ４０４に命令およびデータを提供し得る。メモリ４０６の一部はまた、不揮発性ランダムアクセスメモリ（ＮＶＲＡＭ）を含み得る。プロセッサ４０４は、典型的には、メモリ４０６内に記憶されたプログラム命令に基づいて、論理および算術演算（logical and arithmetic operations）を実施する。メモリ４０６における命令は、ここに説明される方法をインプリメントするために（例えば、プロセッサ４０４によって）実行可能であり得る。
【００５０】
[0058]  プロセッサ４０４は、１つまたは複数のプロセッサを用いてインプリメントされる処理システムのコンポーネントであり得るか、またはそれを備え得る。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラム可能な論理デバイス（ＰＬＤ）、コントローラ、ステートマシン、ゲート論理（gated logic）、ディスクリートハードウェアコンポーネント、専用ハードウェア有限ステートマシン、または、情報の計算または他の操作を実施することができる任意の他の好適なエンティティのいかなる組合せでもインプリメントされ得る。
【００５１】
[0059]  処理システムはまた、ソフトウェアを記憶するための機械読み取り可能な媒体を含み得る。ソフトウェアは、ソフトウェア、ファームウェア、ミドルウェア、マイクロコード、ハードウェア記述言語、または他の呼称のいずれで呼ばれようと、いかなるタイプの命令も意味するように広く解釈されるべきである。命令は、コード（例えば、ソースコードフォーマット、バイナリコードフォーマット、実行可能なコードフォーマット、または任意の他の好適なコードフォーマットの）を含み得る。命令は、１つまたは複数のプロセッサによって実行されると、処理システムに、ここに説明される様々な機能を実施させる。
【００５２】
[0060]  ワイヤレスデバイス４０２はまた、ハウジング４０８を含み得、またワイヤレスデバイス４０２は、ワイヤレスデバイス４０２とリモートデバイスとの間のデータの送信および受信を可能にするために、送信機４１０および／または受信機４１２を含み得る。送信機４１０および受信機４１２は、トランシーバ４１４へと組み合わせられ得る。アンテナ４１６がハウジング４０８に取り付けられ、トランシーバ４１４に電気的に結合され得る。ワイヤレスデバイス４０２はまた、複数の送信機、複数の受信機、複数のトランシーバ、および／または複数のアンテナを含み得る。
【００５３】
[0061]  ワイヤレスデバイス４０２はまた、トランシーバ４１４または受信機４１２によって受信される信号のレベルを検出および定量化するために使用され得る、信号検出器４１８を含み得る。信号検出器４１８は、総エネルギ、シンボルごとのサブキャリア当たりのエネルギ、電力スペクトル密度、および他の信号としてそのような信号を検出し得る。ワイヤレスデバイス４０２はまた、信号の処理に使用するためのＤＳＰ４２０を含み得る。ＤＳＰ４２０は、送信のためのパケットを生成するように構成され得る。いくつかの態様では、パケットは、物理レイヤコンバージェンスプロシージャ（ＰＬＣＰ）プロトコルデータユニット（ＰＰＤＵ）を備え得る。
【００５４】
[0062]  ワイヤレスデバイス４０２は、いくつかの態様では、ユーザインタフェース４２２をさらに備え得る。ユーザインタフェース４２２は、キーパッド、マイクロフォン、スピーカ、および／またはディスプレイを備え得る。ユーザインタフェース４２２は、ワイヤレスデバイス４０２のユーザに情報を伝達する、および／またはユーザから入力を受け取るいかなる要素またはコンポーネントも含み得る。
【００５５】
[0063]  ワイヤレスデバイス４０２がＡＰ（例えば、ＡＰ１０４）としてインプリメントされるとき、ワイヤレスデバイス４０２はまた、リソース割り振りコンポーネント４２４を備え得る。リソース割り振りコンポーネント４２４は、局のセットに、局のセットの各局にとって利用可能な、アップリンク送信のためのＲＵのセットを示すトリガフレーム（例えば、トリガフレーム４３４）を送信するように構成され得る。トリガフレームは、各局に対してＲＵのセットについてのフィードバックを求める要求を含み得る。リソース割り振りコンポーネント４２４は、各局から、送信されたトリガフレームに基づいたアップリンクリソース上で、応答フレーム（例えば、応答フレーム４２８）を受信するように構成され得る。応答フレームは、ＲＵのセットについてのフィードバックを含み得、かつアップリンクリソースに関連するチャネルコンディションとは無関係に受信される。一態様では、チャネルコンディションは、局におけるＣＣＡ決定、局におけるＮＡＶ設定、局においてＥＤレベルが第１のしきい値を上回ること、またはＣＱＩが第２のしきい値を下回ること、のうちの１つに基づいて、アップリンクリソースに関連するチャネルがビジーであることを示し得る。各局からの応答フレームは、アップリンクリソース／チャネルがビジーである間にアップリンクリソース上で受信され得る。別の態様では、フィードバックは、ＲＵのセットに基づくＲＵの順序付けられたリストであり得る。ＲＵの順序付けられたリストは、ＲＵのセットのうちのＲＵがＣＣＡをクリアとしたかどうか、または各局のＣＱＩ選好に基づいて、順序付けられ得る。別の構成では、フィードバックは、ＲＵのセットに基づくＲＵの順序付けられたリストであり得る。ＲＵの順序付けられたリストは、リソースユニットのセットのサブセットであり得る。この構成では、リソース割り振りコンポーネント４２４は、受信された応答フレームと、受信された応答フレーム中に示されたＲＵの順序付けられたリストとに基づいて、アップリンク送信のためにスケジュールされるべき局のサブセットを決定するように、および、アップリンク送信のために局のサブセット中の各局に割り振られたＲＵのサブセットを示す第２のトリガフレームを、局のサブセットに送信するように、構成され得る。別の構成では、リソース割り振りコンポーネント４２４は、局のセットの各局からの受信された応答フレームに基づいて局のサブセットを選択することによって、ＲＵの順序付けられたリストに基づいて少なくとも１つのＲＵロケーションを決定することによって、およびＲＵの順序付けられたリストに基づいて少なくとも１つのＲＵサイズを決定することによって、局のサブセットを決定するように構成され得る。別の構成では、リソース割り振りコンポーネント４２４は、第２のトリガフレームを送信する前に、ダウンリンクマルチユーザフレーム（例えば、ダウンリンクＭＵフレーム４３２）を送信するように構成され得る。
【００５６】
[0064]  ワイヤレスデバイス４０２の様々なコンポーネントは、バスシステム４２６によって連結（coupled together）され得る。バスシステム４２６は、データバスを含み得、例えばデータバスに加えて電力バス、制御信号バス、およびステータス信号バスも、含み得る。ワイヤレスデバイス４０２のコンポーネントは、何らかの他のメカニズムを使用して、互いに入力を提供し得るまたは受け取り（accept）得るか、または連結され得る。
【００５７】
[0065]  図４にはいくつかの別個のコンポーネントが例示されているが、それらコンポーネントのうちの１つまたは複数は、組み合わせられ得るか、または共通してインプリメント（commonly implemented）され得る。例えば、プロセッサ４０４は、プロセッサ４０４に関して上述した機能性のみをインプリメントするためではなく、信号検出器４１８、ＤＳＰ４２０、ユーザインタフェース４２２、および／またはリソース割り振りコンポーネント４２４に関して上述した機能性もインプリメントするために、使用され得る。さらに、図４に例示されるコンポーネントの各々は、複数の別個の要素を使用してインプリメントされ得る。
【００５８】
[0066]  図５は、リソースユニットフィードバックに基づいたリソース割り振りの例示的な方法５００のフローチャートである。方法５００は、装置（例えば、ＡＰ１０４、または、例えばワイヤレスデバイス４０２）を使用して実施され得る。方法５００は、以下では図４のワイヤレスデバイス４０２の要素に関して説明されるが、ここに説明されるステップのうちの１つまたは複数をインプリメントするために、他のコンポーネントが使用され得る。図５における点線は、オプションの動作を示し得る。
【００５９】
[0067]  ブロック５０５において、装置は、局のセットに、局のセットの各局にとって利用可能なＲＵのセットを示す制御フレーム（例えば、トリガフレーム）を送信し得る。制御フレームは、各局に対してＲＵのセットについてのフィードバックを求める要求であり得る。例えば、図２に関して、装置は、ＡＰであり得、局のセットは、ＳＴＡ１〜８であり得る。２０２において、ＡＰは、ＳＴＡ１〜８に、ＳＴＡ１〜８の各々にとって利用可能なＲＵのセットを示す第１のトリガフレーム（例えば、制御フレーム）を送信し得る。第１のトリガフレームは、ＳＴＡ１〜８の各々に対してＲＵのセットについてのフィードバックを求める要求であり得る。例えば、第１のトリガフレームは、１に設定されたフィードバック要求ビットを含み得る。
【００６０】
[0068]  ブロック５１０において、装置は、各局から、アップリンクリソース上で応答フレームを受信し得る。応答フレームは、ＲＵのセットについてのフィードバックを含み得、かつアップリンクリソースに関連するチャネルコンディションとは無関係に受信され得る。フィードバックは、制御フレーム中に示されたＲＵのセットに基づくＲＵの順序付けられたリストであり得る。チャネルコンディションは、ＣＣＡ決定、ＮＡＶ設定、ＥＤレベルが第１のしきい値を上回ること、またはＣＱＩが第２のしきい値を下回ること、のうちの１つに基づいて、アップリンクリソースに関連するチャネルがビジーであることを示し得る。一態様では、各局からの応答フレームは、チャネルがビジーである間にそれぞれのアップリンクリソース上で受信され得る。別の態様では、ＲＵの順序付けられたリストは、ＲＵのセットのうちのＲＵがＣＣＡをクリアとしたかどうか、または各局のＣＱＩ選好に基づいて、順序付けられ得る。例えば、図２に関して、ＡＰは、ＳＴＡの各々から、２０４において、それぞれのアップリンクリソース上で制御応答フレームを受信し得る。制御応答フレームは、ＲＵのセットについてのフィードバックを含み得、フィードバックは、１つまたは複数のものの順序付けられたリストであり得る。制御応答フレームは、アップリンクリソースに関連するチャネルコンディションとは無関係に受信され得る。例えば、ＡＰがＳＴＡ１から制御応答フレームを受信するとき、ＳＴＡ１は、アップリンクリソースがＣＣＡをクリアとしないときでさえ、アップリンクリソース上で制御応答フレームを送信し得る。ＡＰはまた、ＳＴＡ２〜８から制御応答フレームを受信し得る。
【００６１】
[0069]  ５１５において、装置は、受信された応答フレームと、受信された応答フレーム中に示されたＲＵの順序付けられたリストとに基づいて、アップリンク送信のためにスケジュールされるべき局のサブセットを決定し得る。一態様では、装置は、局のセットの各局からの受信された応答フレームに基づいて、局のサブセットを選択すること（５２０において）によって、ＲＵの順序付けられたリストに基づいて少なくとも１つのＲＵロケーション（例えば、シンボルロケーション）を決定することによって、およびＲＵの順序付けられたリストに基づいて少なくとも１つのＲＵサイズ（例えば、２０メガヘルツ（ＭＨｚ）、４０ＭＨｚ、８０ＭＨｚ、１６０ＭＨｚ等）を決定することによって、局のサブセットを決定し得る。例えば、図２に関して、ＳＴＡ１〜８から受信された制御応答フレーム（例えば、Ｃ−ＲＰ１〜８）に基づいて、ＡＰは、ＳＴＡ１、３、４、６、８がアップリンク送信のためにスケジュールされることを決定し得る。決定は、ＳＴＡ１、３、４、６、８がＣＣＡをクリアとしたＲＵを割り振られたことを示すＳＴＡ１、３、４、６、８からの制御応答フレームに基づき得る。ＡＰは、ＲＵロケーションおよびＲＵサイズ（例えば、シンボルロケーションおよび通信バンド幅サイズ）を決定し得る。
【００６２】
[0070]  ５３５において、装置は、アップリンク送信のために局のサブセット中の各局に割り振られたＲＵのサブセットを示す第２の制御フレームを、局のサブセットに送信し得る。例えば、図２を参照すると、ＡＰは、ＵＬ  ＭＵ送信のためにＳＴＡの各々に割り振られたＲＵのサブセットを示す第２のトリガフレームを、ＳＴＡ１、３、４、６、８に送信し得る。
【００６３】
[0071]  ５４０において、装置は、第２の制御フレームを送信する前に、ダウンリンクＭＵフレームを送信し得る。例えば、図２、具体的には図２５０に関して、ＡＰは、第２のトリガフレームを送信する前に、ＤＬ  ＭＵフレームをＳＴＡ１、３、４、６、８に送信し得る。一態様では、ＡＰは、ＡＰに第２のトリガフレームを生成するための時間をより多く提供するためにＤＬ  ＭＵフレームを最初に送信し得る。
【００６４】
[0072]  図６は、フィードバックに基づいて、リソース割り振りを実施し得る例示的なワイヤレス通信デバイス６００の機能ブロック図である。ワイヤレス通信デバイス６００は、受信機６０５、処理システム６１０、および送信機６１５を含み得る。処理システム６１０は、リソース割り振りコンポーネント６２４を含み得る。処理システム６１０、リソース割り振りコンポーネント６２４、および／または送信機６１５は、局のセットに、局のセットの各局にとって利用可能な、アップリンク送信のためのＲＵのセットを示すトリガフレーム（例えば、トリガフレーム６２６）を送信するように構成され得る。トリガフレームは、各局に対してＲＵのセットについてのフィードバックを求める要求を含み得る。処理システム６１０、リソース割り振りコンポーネント６２４、および／または受信機６０５は、各局から、送信されたトリガフレームに基づいたアップリンクリソース上で、応答フレーム（例えば、応答フレーム６２８）を受信するように構成され得る。応答フレームは、ＲＵのセットについてのフィードバックを含み得、かつアップリンクリソースに関連するチャネルコンディションとは無関係に受信される。一態様では、チャネルコンディションは、局におけるＣＣＡ決定、局におけるＮＡＶ設定、局においてＥＤレベルが第１のしきい値を上回ること、またはＣＱＩが第２のしきい値を下回ること、のうちの１つに基づいて、アップリンクリソースに関連するチャネルがビジーであることを示し得る。各局からの応答フレームは、アップリンクリソース／チャネルがビジーである間にアップリンクリソース上で受信され得る。別の態様では、フィードバックは、ＲＵのセットに基づくＲＵの順序付けられたリストであり得る。ＲＵの順序付けられたリストは、ＲＵのセットのうちのＲＵがＣＣＡをクリアとしたかどうか、または各局のＣＱＩ選好に基づいて、順序付けられ得る。別の構成では、フィードバックは、ＲＵのセットに基づくＲＵの順序付けられたリストであり得る。ＲＵの順序付けられたリストは、リソースユニットのセットのサブセットであり得る。この構成では、処理システム６１０および／またはリソース割り振りコンポーネント６２４は、受信された応答フレームと、受信された応答フレーム中に示されたＲＵの順序付けられたリストとに基づいて、アップリンク送信のためにスケジュールされるべき局のサブセットを決定するように、および、アップリンク送信のために局のサブセット中の各局に割り振られたＲＵのサブセットを示す第２のトリガフレームを、局のサブセットに送信するように、構成され得る。別の構成では、処理システム６１０および／またはリソース割り振りコンポーネント６２４は、局のセットの各局からの受信された応答フレームに基づいて局のサブセットを選択することによって、ＲＵの順序付けられたリストに基づいて少なくとも１つのＲＵロケーションを決定することによって、およびＲＵの順序付けられたリストに基づいて少なくとも１つのＲＵサイズを決定することによって、局のサブセットを決定するように構成され得る。別の構成では、処理システム６１０、リソース割り振りコンポーネント６２４、および／または送信機６１５は、第２のトリガ���レームを送信する前に、ダウンリンクマルチユーザフレーム（例えば、ダウンリンクＭＵフレーム６３２）を送信するように構成され得る。
【００６５】
[0073]  受信機６０５、処理システム６１０、リソース割り振りコンポーネント６２４、および／または送信機６１５は、図５のブロック５０５、５１０、５１５、５２０、５２５、５３０、５３５、および５４０に関して上で説明された１つまたは複数の機能を実施するように構成され得る。受信機６０５は、受信機４１２に対応し得る。処理システム６１０は、プロセッサ４０４に対応し得る。送信機６１５は、送信機４１０に対応し得る。リソース割り振りコンポーネント６２４は、リソース割り振りコンポーネント１２４、および／またはリソース割り振りコンポーネント４２４に対応し得る。
【００６６】
[0074]  一構成では、ワイヤレス通信デバイス６００は、局のセットに、局のセットの各局にとって利用可能な、アップリンク送信のためのＲＵのセットを示すトリガフレームを送信するための手段を含み得る。トリガフレームは、各局に対してＲＵのセットについてのフィードバックを求める要求を含み得る。ワイヤレス通信デバイス６００は、各局から、送信されたトリガフレームに基づいたアップリンクリソース上で、応答フレームを受信するための手段を含み得る。応答フレームは、ＲＵのセットについてのフィードバックを含み得、かつアップリンクリソースに関連するチャネルコンディションとは無関係に受信される。一態様では、チャネルコンディションは、局におけるＣＣＡ決定、局におけるＮＡＶ設定、局においてＥＤレベルが第１のしきい値を上回ること、またはＣＱＩが第２のしきい値を下回ること、のうちの１つに基づいて、アップリンクリソースに関連するチャネルがビジーであることを示し得る。各局からの応答フレームは、アップリンクリソース／チャネルがビジーである間にアップリンクリソース上で受信され得る。別の態様では、フィードバックは、ＲＵのセットに基づくＲＵの順序付けられたリストであり得る。ＲＵの順序付けられたリストは、ＲＵのセットのうちのＲＵがＣＣＡをクリアとしたかどうか、または各局のＣＱＩ選好に基づいて、順序付けられ得る。別の構成では、フィードバックは、ＲＵのセットに基づくＲＵの順序付けられたリストであり得る。ＲＵの順序付けられたリストは、リソースユニットのセットのサブセットであり得る。この構成では、ワイヤレス通信デバイス６００は、受信された応答フレームと、受信された応答フレーム中に示されたＲＵの順序付けられたリストとに基づいて、アップリンク送信のためにスケジュールされるべき局のサブセットを決定するための、および、アップリンク送信のために局のサブセット中の各局に割り振られたＲＵのサブセットを示す第２のトリガフレームを、局のサブセットに送信するための、手段を含み得る。別の構成では、局のサブセットを決定するための手段は、局のセットの各局からの受信された応答フレームに基づいて局のサブセットを選択するように、ＲＵの順序付けられたリストに基づいて少なくとも１つのＲＵロケーションを決定するように、およびＲＵの順序付けられたリストに基づいて少なくとも１つのＲＵサイズを決定するように、構成され得る。別の構成では、ワイヤレス通信デバイス６００は、第２のトリガフレームを送信する前に、ダウンリンクマルチユーザフレーム（例えば、ダウンリンクＭＵフレーム６３２）送信するための手段を含み得る。
【００６７】
[0075]  例えば、トリガフレームを送信するための手段は、処理システム６１０、リソース割り振りコンポーネント６２４、および／または送信機６１５を含み得る。受信するための手段は、処理システム６１０、リソース割り振りコンポーネント６２４、および／または受信機６０５を含み得る。局のサブセットを決定するための手段は、処理システム６１０および／またはリソース割り振りコンポーネント６２４を含み得る。第２のトリガフレームを送信するための手段は、処理システム６１０、リソース割り振りコンポーネント６２４、および／または送信機６１５を含み得る。ダウンリンクマルチユーザフレームを送信するための手段は、処理システム６１０、リソース割り振りコンポーネント６２４、および／または送信機６１５を含み得る。
【００６８】
[0076]  図７は、図１のワイヤレス通信システム１００内で用いられ得るリソースユニットフィードバックを提供するワイヤレスデバイス７０２の例示的な機能ブロック図を示す。ワイヤレスデバイス７０２は、ここに説明された様々な方法をインプリメントするように構成され得るデバイスの例である。例えば、ワイヤレスデバイス７０２は、ＳＴＡ１１４を備え得る。
【００６９】
[0077]  ワイヤレスデバイス７０２は、ワイヤレスデバイス７０２の動作を制御するプロセッサ７０４を含み得る。プロセッサ７０４はまた、ＣＰＵとも呼ばれ得る。メモリ７０６は、ＲＯＭとＲＡＭの両方を含み得、プロセッサ７０４に命令およびデータを提供し得る。メモリ７０６の一部はまた、ＮＶＲＡＭを含み得る。プロセッサ７０４は、典型的には、メモリ７０６内に記憶されたプログラム命令に基づいて、論理および算術演算（logical and arithmetic operations）を実施する。メモリ７０６における命令は、ここに説明される方法をインプリメントするために、（例えば、プロセッサ７０４によって）実行可能であり得る。
【００７０】
[0078]  プロセッサ７０４は、１つまたは複数のプロセッサを用いてインプリメントされる処理システムのコンポーネントであり得るか、またはそれを備え得る。１つまたは複数のプロセッサは、汎用マイクロプロセッサ、マイクロコントローラ、ＤＳＰ、ＦＰＧＡ、ＰＬＤ、コントローラ、ステートマシン、ゲート論理、ディスクリートハードウェアコンポーネント、専用ハードウェア有限ステートマシン、または情報の計算または他の操作を実施することができる任意の他の好適なエンティティのいかなる組合せでもインプリメントされ得る。
【００７１】
[0079]  処理システムはまた、ソフトウェアを記憶するための機械読み取り可能な媒体を含み得る。ソフトウェアは、ソフトウェア、ファームウェア、ミドルウェア、マイクロコード、ハードウェア記述言語、または他の呼称のいずれで呼ばれようと、いかなるタイプの命令も意味するように広く解釈されるべきである。命令は、コード（例えば、ソースコードフォーマット、バイナリコードフォーマット、実行可能なコードフォーマット、または任意の他の好適なコードフォーマットの）を含み得る。命令は、１つまたは複数のプロセッサによって実行されると、処理システムに、ここに説明される様々な機能を実施させる。
【００７２】
[0080]  ワイヤレスデバイス７０２はまた、ハウジング７０８を含み得、またワイヤレスデバイス７０２は、ワイヤレスデバイス７０２とリモートデバイスとの間のデータの送信および受信を可能にするために、送信機７１０および／または受信機７１２を含み得る。送信機７１０および受信機７１２は、トランシーバ７１４へと組み合わせられ得る。アンテナ７１６がハウジング７０８に取り付けられ、トランシーバ７１４に電気的に結合され得る。ワイヤレスデバイス７０２はまた、複数の送信機、複数の受信機、複数のトランシーバ、および／または複数のアンテナを含み得る。
【００７３】
[0081]  ワイヤレスデバイス７０２はまた、トランシーバ７１４または受信機７１２によって受信される信号のレベルを検出および定量化するために使用され得る、信号検出器７１８を含み得る。信号検出器７１８は、総エネルギ、シンボルごとのサブキャリア当たりのエネルギ、電力スペクトル密度、および他の信号としてそのような信号を検出し得る。ワイヤレスデバイス７０２はまた、信号の処理に使用するためのＤＳＰ７２０を含み得る。ＤＳＰ７２０は、送信のためのパケットを生成するように構成され得る。いくつかの態様では、パケットは、ＰＰＤＵを備え得る。
【００７４】
[0082]  ワイヤレスデバイス７０２は、いくつかの態様では、ユーザインタフェース７２２をさらに備え得る。ユーザインタフェース７２２は、キーパッド、マイクロフォン、スピーカ、および／またはディスプレイを備え得る。ユーザインタフェース７２２は、ワイヤレスデバイス７０２のユーザに情報を伝達する、および／またはユーザから入力を受け取るいかなる要素またはコンポーネントも含み得る。
【００７５】
[0083]  ワイヤレスデバイス７０２がＳＴＡ（例えば、ＳＴＡ１１４）としてインプリメントされるとき、ワイヤレスデバイス７０２はまた、フィードバックコンポーネント７２４を備え得る。フィードバックコンポーネント７２４は、アクセスポイントから、アップリンク送信のために局にとって利用可能なＲＵのセットを示すトリガフレーム（例えば、トリガフレーム７３４）を受信するように構成され得る。トリガフレームは、ＲＵのセットについてのフィードバックを求める要求であり得る。フィードバックコンポーネント７２４は、トリガフレーム中に示されたＲＵのセットに関連するチャネルコンディションに基づいて、ＲＵのセットについてのフィードバックを決定するように構成され得る。フィードバックコンポーネント７２４は、局に割り振られたアップリンクリソース上で応答フレーム（例えば、応答フレーム７２８）を送信するように構成され得る。応答フレームは、決定されたフィードバックを含み得、かつアップリンクリソースに関連するチャネルコンディションとは無関係に送信され得る。一構成では、フィードバックコンポーネント７２４は、ＲＵのセットの各ＲＵに関連するそれぞれのチャネルコンディションを決定することによって、フィードバックを決定するように構成され得る。それぞれのチャネルコンディションは、ＣＣＡ決定、ＮＡＶ設定、またはＣＱＩに基づき得る。この構成では、フィードバックコンポーネント７２４は、ＲＵのセットの各ＲＵに関連するそれぞれのチャネルコンディションに基づいて順序付けられるＲＵのリストを決定するようにさらに構成され得る。別の構成では、フィードバックコンポーネント７２４は、ＲＵのセット中の少なくとも１つのＲＵのために好ましいＭＣＳを決定することによって、フィードバックを決定するようにさらに構成され得る。一態様では、アップリンクリソースに関連するチャネルコンディションは、ＣＣＡ決定、ＮＡＶ設定、ＥＤレベルが第１のしきい値を上回ること、またはＣＱＩが第２のしきい値を下回ること、のうちの１つに基づいて、アップリンクリソースに関連するチャネルがビジーであることを示し得る。この態様では、応答フレームは、チャネルがビジーである間にアップリンクリソース上で送信され得る。別の構成では、フィードバックコンポーネント７２４は、アップリンク送信のために局に割り振られたＲＵのサブセットを示す第２のトリガフレーム（例えば、第２のトリガフレーム７３０）を受信するように構成され得る。ＲＵのサブセットは、アクセスポイントに送信された決定されたフィードバックに基づき得る。
【００７６】
[0084]  ワイヤレスデバイス７０２の様々なコンポーネントは、バスシステム７２６によって連結（coupled together）され得る。バスシステム７２６は、データバスを含み得、例えばデータバスに加えて電力バス、制御信号バス、およびステータス信号バスも、含み得る。ワイヤレスデバイス７０２のコンポーネントは、何らかの他のメカニズムを使用して、互いに入力を提供し得るまたは受け取り（accept）得るか、または連結され得る。
【００７７】
[0085]  図７にはいくつかの別個のコンポーネントが例示されているが、それらコンポーネントのうちの１つまたは複数は、組み合わせられ得るか、または共通してインプリメント（commonly implemented）され得る。例えば、プロセッサ７０４は、プロセッサ７０４に関して上述した機能性のみをインプリメントするためではなく、信号検出器７１８、ＤＳＰ７２０、ユーザインタフェース７２２、および／またはフィードバックコンポーネント７２４に関して上述した機能性もインプリメントするために、使用され得る。さらに、図７に例示されるコンポーネントの各々は、複数の別個の要素を使用してインプリメントされ得る。
【００７８】
[0086]  図８は、ＭＵ送信のために利用可能なリソースユニットについてのフィードバックを提供する例示的な方法８００のフローチャートである。方法８００は、装置（例えば、ＳＴＡ１１４、または、例えばワイヤレスデバイス７０２）を使用して実施され得る。方法８００は、以下では図７のワイヤレスデバイス７０２の要素に関して説明されるが、ここに説明されるステップのうちの１つまたは複数をインプリメントするために、他のコンポーネントが使用され得る。図８における点線は、オプションの動作を表し得る。
【００７９】
[0087]  ブロック８０５において、装置は、アクセスポイントから、アップリンク送信のために局にとって利用可能なＲＵのセットを示す制御フレームを受信し得る。制御フレームは、ＲＵのセットについてのフィードバックを求める要求であり得る。例えば、図２に関して、装置は、ＳＴＡ１であり得る。ＳＴＡ１は、ＡＰから、アップリンクおよび／またはダウンリンク送信のためにＳＴＡ１にとって利用可能なＲＵのセットを示す第１のトリガフレームを受信し得る。第１のトリガメッセージは、ＲＵのセットについてのフィードバックを求める要求である。
【００８０】
[0088]  ブロック８１０において、装置は、制御フレーム中に示されたＲＵのセットに関連するチャネルコンディションに基づいて、ＲＵのセットについてのフィードバックを決定し得る。一態様では、装置は、ＲＵのセットの各ＲＵに関連するそれぞれのチャネルコンディションを決定する（８１５において）ことであって、それぞれのチャネルコンディションは、ＣＣＡ決定、ＮＡＶ設定、またはＣＱＩに基づく、決定することによって、ＲＵのセットの各ＲＵに関連するそれぞれのチャネルコンディションに基づいて順序付けられるＲＵのリストを決定する（８２０において）ことによって、および／またはＤＬ通信のために使用されることになる少なくとも１つのＲＵのために好ましいＭＣｓ（a preferred MCs）を決定する（８２５において）ことによって、フィードバックを決定し得る。例えば、図２に関して、ＳＴＡ１は、ＲＵのセット中の各ＲＵがＣＣＡをクリアとするかどうかを決定することによって、ＳＴＡ１にとって利用可能なＲＵのセットについてのフィードバックを決定し得る。ＣＣＡをクリアとしたＲＵについて、ＳＴＡ１は、ＲＵ上でＣＱＩを測定し得、チャネル品質が高い順にＲＵのリストを決定し得る。
【００８１】
[0089]  ブロック８３０において、装置は、アップリンクリソース上で応答フレームを送信し得る。応答フレームは、決定されたフィードバックを含み得、かつアップリンクリソースに関連するチャネルコンディションとは無関係に送信され得る。例えば、図２に関して、ＳＴＡ１は、第１のトリガフレーム中に示され得るアップリンクリソース上で制御応答フレームを送信し得る。制御応答フレームは、ＲＵの順序付けられたリストを含み得、かつアップリンクリソースに関連するチャネルコンディションとは無関係に送信され得る。一態様では、制御応答フレームは、チャネルがビジーであることをチャネルコンディションが示す（例えば、アップリンクリソースがＣＣＡをクリアとしない）ときでさえ、送信され得る。
【００８２】
[0090]  ブロック８３５において、装置は、アップリンク送信のために装置に割り振られたＲＵのサブセットを示す第２の制御フレームを受信し得る。ＲＵのサブセットは、アクセスポイントに送信された決定されたフィードバック（例えば、ＲＵの順序付けられたリスト）に基づき得る。例えば、図２に関して、ＳＴＡ１は、ＵＬ  ＭＵ送信のためにＳＴＡ１に割り振られたＲＵのサブセットを示す第２のトリガフレームを受信し得る。ＲＵのサブセットは、ＡＰに送信された順序付けられたＲＵのリストに基づき得る。
【００８３】
[0091]  図９は、リソースユニットフィードバックを提供するための例示的なワイヤレス通信デバイス９００の機能ブロック図である。ワイヤレス通信デバイス９００は、受信機９０５、処理システム９１０、および送信機９１５を含み得る。処理システム９１０は、フィードバックコンポーネント９２４を含み得る。処理システム９１０、フィードバックコンポーネント９２４、および／または受信機９０５は、アクセスポイントから、アップリンク送信のために局にとって利用可能なＲＵのセットを示すトリガフレーム（例えば、トリガフレーム９２６）を受信するように構成され得る。トリガフレームは、ＲＵのセットについてのフィードバックを求める要求であり得る。処理システム９１０および／またはフィードバックコンポーネント９２４は、トリガフレーム中に示されたＲＵのセットに関連するチャネルコンディションに基づいて、ＲＵのセットについてのフィードバックを決定するように構成され得る。処理システム９１０、フィードバックコンポーネント９２４、および／または送信機９１５は、局に割り振られたアップリンクリソース上で応答フレーム（例えば、応答フレーム９２８）を送信するように構成され得る。応答フレームは、決定されたフィードバックを含み得、かつアップリンクリソースに関連するチャネルコンディションとは無関係に送信され得る。一構成では、処理システム９１０および／またはフィードバックコンポーネント９２４は、ＲＵのセットの各ＲＵに関連するそれぞれのチャネルコンディションを決定することによって、フィードバックを決定するように構成され得る。それぞれのチャネルコンディションは、ＣＣＡ決定、ＮＡＶ設定、またはＣＱＩに基づき得る。この構成では、処理システム９１０および／またはフィードバックコンポーネント９２４は、ＲＵのセットの各ＲＵに関連するそれぞれのチャネルコンディションに基づいて順序付けられるＲＵのリストを決定するようにさらに構成され得る。別の構成では、処理システム９１０および／またはフィードバックコンポーネント９２４は、ＲＵのセット中の少なくとも１つのＲＵのために好ましいＭＣＳを決定することによって、フィードバックを決定するようにさらに構成され得る。一態様では、アップリンクリソースに関連するチャネルコンディションは、ＣＣＡ決定、ＮＡＶ設定、ＥＤレベルが第１のしきい値を上回ること、またはＣＱＩが第２のしきい値を下回ること、のうちの１つに基づいて、アップリンクリソースに関連するチャネルがビジーであることを示し得る。この態様では、応答フレームは、チャネルがビジーである間にアップリンクリソース上で送信され得る。別の構成では、処理システム９１０、フィードバックコンポーネント９２４、および／または受信機９０５は、アップリンク送信のために局に割り振られたＲＵのサブセットを示す第２のトリガフレーム（例えば、第２のトリガフレーム９３０）を受信するように構成され得る。ＲＵのサブセットは、アクセスポイントに送信された決定されたフィードバックに基づき得る。
【００８４】
[0092]  受信機９０５、処理システム９１０、フィードバックコンポーネント９２４、および／または送信機９１５は、図８のブロック８０５、８１０、８１５、８２０、８２５、８３０、および８３５に関して上で説明された１つまたは複数の機能を実施するように構成され得る。受信機９０５は、受信機７１２に対応し得る。処理システム９１０は、プロセッサ７０４に対応し得る。送信機９１５は、送信機７１０に対応し得る。フィードバックコンポーネント９２４は、フィードバックコンポーネント１２６および／またはフィードバックコンポーネント７２４に対応し得る。
【００８５】
[0093]  一構成では、ワイヤレス通信デバイス９００は、アクセスポイントから、アップリンク送信のために局にとって利用可能なＲＵのセットを示すトリガフレームを受信するための手段を含み得る。トリガフレームは、ＲＵのセットについてのフィードバックを求める要求であり得る。ワイヤレス通信デバイス９００は、トリガフレーム中に示されたＲＵのセットに関連するチャネルコンディションに基づいて、ＲＵのセットについてのフィードバックを決定するための手段を含み得る。ワイヤレス通信デバイス９００は、ワイヤレス通信デバイス９００に割り振られたアップリンクリソース上で応答フレームを送信するための手段を含み得る。応答フレームは、決定されたフィードバックを含み得、かつアップリンクリソースに関連するチャネルコンディションとは無関係に送信され得る。一構成では、フィードバックを決定するための手段は、ＲＵのセットの各ＲＵに関連するそれぞれのチャネルコンディションを決定するように構成され得る。それぞれのチャネルコンディションは、ＣＣＡ決定、ＮＡＶ設定、またはＣＱＩに基づき得る。この構成では、決定するための手段は、ＲＵのセットの各ＲＵに関連するそれぞれのチャネルコンディションに基づいて順序付けられるＲＵのリストを決定するようにさらに構成され得る。別の構成では、フィードバックを決定するための手段は、ＲＵのセット中の少なくとも１つのＲＵのために好ましいＭＣＳを決定するように構成され得る。一態様では、アップリンクリソースに関連するチャネルコンディションは、ＣＣＡ決定、ＮＡＶ設定、ＥＤレベルが第１のしきい値を上回ること、またはＣＱＩが第２のしきい値を下回ること、のうちの１つに基づいて、アップリンクリソースに関連するチャネルがビジーであることを示し得る。この態様では、応答フレームは、チャネルがビジーである間にアップリンクリソース上で送信され得る。別の構成では、ワイヤレス通信デバイス９００は、アップリンク送信のために局に割り振られたＲＵのサブセットを示す第２のトリガフレーム（例えば、第２のトリガフレーム７３０）を受信するための手段を含み得る。ＲＵのサブセットは、アクセスポイントに送信された決定されたフィードバックに基づき得る。
【００８６】
[0094]  例えば、アクセスポイントからトリガフレームを受信するための手段は、処理システム９１０、フィードバックコンポーネント９２４、および／または受信機９０５を含み得る。フィードバックを決定するための手段は、処理システム９１０、および／またはフィードバックコンポーネント９２４を含み得る。応答フレームを送信するための手段は、処理システム９１０、フィードバックコンポーネント９２４、および／または送信機９１５を含み得る。第２のトリガフレームを受信するための手段は、処理システム９１０、フィードバックコンポーネント９２４、および／または受信機９０５を含み得る。
【００８７】
[0095]  上に説明された方法の様々な動作は、様々なハードウェアおよび／またはソフトウェアコンポーネント（１つまたは複数の）、回路、および／またはモジュール（１つまたは複数の）のような、動作を実施することが可能な任意の好適な手段によって実施され得る。一般に、図に例示された任意の動作は、動作を実施することが可能である対応する機能的手段によって実施され得る。
【００８８】
[0096]  本開示に関連して説明された様々な例示的な論理ブロック、コンポーネントおよび回路は、汎用プロセッサ、ＤＳＰ、特定用途向け集積回路（ＡＳＩＣ）、ＦＰＧＡまたは他のＰＬＤ、ディスクリートゲートまたはトランジスタ論理、ディスクリートハードウェアコンポーネント、あるいはここに説明された機能を実施するように設計されたそれらの任意の組合せを用いてインプリメントまたは実施され得る。汎用プロセッサは、マイクロプロセッサであり得るが、代替の方法では、プロセッサは、いかなる市販のプロセッサ、コントローラ、マイクロコントローラ、またはステートマシンでもあり得る。プロセッサはまた、コンピューティングデバイスの組合せ、例えば、ＤＳＰとマイクロプロセッサとの組合せ、複数のマイクロプロセッサ、ＤＳＰコアと連結した１つまたは複数のマイクロプロセッサ、または任意の他のそのような構成としてもインプリメントされ得る。
【００８９】
[0097]  １つまたは複数の態様において、説明された複数の機能は、ハードウェア、ソフトウェア、ファームウェアまたはそれらの任意の組合せでインプリメントされ得る。ソフトウェアでインプリメントされる場合、それら機能は、コンピュータ読み取り可能な媒体上の１つまたは複数の命令またはコードとして記憶または送信され得る。コンピュータ読み取り可能な媒体は、１つの場所から別の場所へのコンピュータプログラムの転送を容易にする任意の媒体を含む通信媒体とコンピュータ記憶媒体との両方を含む。記憶媒体は、コンピュータによってアクセスされることができる任意の利用可能な媒体であり得る。限定ではなく例として、そのようなコンピュータ読み取り可能な媒体は、ＲＡＭ、ＲＯＭ、ＥＥＰＲＯＭ（登録商標）、コンパクトディスク（ＣＤ）ＲＯＭ（ＣＤ−ＲＯＭ）または他の光ディスク記憶装置、磁気ディスク記憶装置または他の磁気記憶デバイス、あるいは、命令またはデータ構造の形態で所望のプログラムコードを搬送または記憶するために使用されることができ、コンピュータによってアクセスされることができる、任意の他の媒体を備えることができる。また、いかなる接続も、コンピュータ読み取り可能な媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、ＣＤ、レーザーディスク（登録商標）（disc）、光ディスク（disc）、デジタル多目的ディスク（disc）（ＤＶＤ）、フロッピー（登録商標）ディスク（disk）およびＢｌｕ−ｒａｙ（登録商標）ディスク（disc）を含み、ここで、ディスク（disks）は、通常磁気的にデータを再生し、一方ディスク（discs）は、レーザーを用いて光学的にデータを再生する。したがって、コンピュータ読み取り可能な媒体は、非一時的なコンピュータ読み取り可能な媒体（例えば、有形の媒体）を備える。
【００９０】
[0098]  ここに開示された方法は、説明された方法を達成するための１つまたは複数のステップまたはアクションを備える。これら方法のステップおよび／またはアクションは、特許請求の範囲の適用範囲（the scope）から逸脱することなく、互いに置き換えられ得る。言い換えれば、ステップまたはアクションの特定の順序が規定されていない限り、特定のステップおよび／またはアクションの順序および／または使用は、特許請求の範囲の適用範囲から逸脱することなく修正され得る。
【００９１】
[0099]  したがって、ある特定の態様は、ここに提示された動作を実施するためのコンピュータプログラム製品を備え得る。例えば、そのようなコンピュータプログラム製品は、命令を記憶（および／または符号化）したコンピュータ読み取り可能な媒体を備え得、それら命令は、ここに説明された動作を実施するために１つまたは複数のプロセッサによって実行可能である。ある特定の態様については、コンピュータプログラム製品は、パッケージング素材を含み得る。
【００９２】
[00100]  さらに、ここに説明された技法および方法を実施するためのコンポーネントおよび／または他の適した手段は、適用可能な場合、ユーザ端末および／または基地局によって、ダウンロードされることができるおよび／または別の方法で取得されることができることは認識されるべきである。例えば、そのようなデバイスは、ここに説明された方法を実施するための手段の転送を容易にするために、サーバに接続されることができる。代替的に、ここに説明された様々な方法は、デバイスに記憶手段を提供するまたは結合する際に、ユーザ端末および／または基地局が様々な方法を得ることができるように、記憶手段（例えば、ＣＤまたはフロッピーディスクのような物理記憶媒体、ＲＯＭ、ＲＡＭ等）を通じて提供されることができる。さらに、ここに説明された方法および技法をデバイスに提供するためのいかなる他の好適な技法も利用されることができる。
【００９３】
[00101]  本願の特許請求の範囲が上に例示されたまさにその構成およびコンポーネントに限定されないことは理解されるべきである。特許請求の範囲の適用範囲から逸脱することなく、上で説明された装置および方法の詳細、動作、および配列において、様々な修正、変更、および変形がなされ得る。
【００９４】
[00102]  前述の内容は、本開示の態様を対象としているが、本開示の他の態様および本開示のさらなる態様が、その基本的な範囲から逸脱することなく考案され得、その範囲は、以下の特許請求の範囲によって決定される。
【００９５】
[00103]  先の説明は、当業者が、ここに説明された様々な態様を実施することができるように提供されている。これらの態様に対する様々な変更は、当業者に容易に理解されるものであり、ここに定義された一般的な原理は、他の態様に適用され得る。したがって、特許請求の範囲は、ここに示される態様に限定されるようには意図されておらず、請求項の文言と一致する最大の範囲を認められるべきであり、ここで、ある要素への単数形での言及は、そのように明確に述べられていない限りは「１つおよび１つのみ」を意味するのではなく、「１つまたは複数」を意味するように意図されている。そうでないとの明確な記載がない限り、「いくつかの（some）」という用語は、１つまたは複数を指す。当業者に知られている、あるいは後に知られることになる本開示全体にわたって説明された様々な態様の要素に対するすべての構造的および機能的な同等物は、参照によってここに明確に組み込まれ、特許請求の範囲に包含されるように意図されている。さらに、本明細書におけるいかなる開示も、そのような開示が特許請求の範囲に明確に記載されているか否かに関わらず、公衆に献呈されることを意図したものではない。特許請求の範囲のいずれの要素も、その要素が「のための手段」という表現を使用して明示的に記載されていない限り、または、方法の請求項のケースでは、その要素が「のためのステップ」という表現を使用して記載されていない限り、米国特許法第１１２条（ｆ）の規定の下で解釈されるべきではない。
【図１】
2020074584.tif 000003
【図２】
2020074584.tif 000004
【図３】
2020074584.tif 000005
【図４】
2020074584.tif 000006
【図５】
2020074584.tif 000007
【図６】
2020074584.tif 000008
【図７】
2020074584.tif 000009
【図８】
2020074584.tif 000010
【図９】
2020074584.tif 000011
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
局によるワイヤレス通信の方法であって、
アップリンク送信のために前記局にとって利用可能なリソースユニット（ＲＵ）のセットを示す制御フレームをアクセスポイントから受信することと、ここにおいて、前記制御フレームは、ＲＵの前記セットについてのフィードバックを求める要求であり、
前記制御フレーム中に示されたＲＵの前記セットに関連するチャネルコンディションに基づいて、ＲＵの前記セットについてのフィードバックを決定することと、
前記局に割り振られたアップリンクリソース上で応答フレームを送信することと、ここにおいて、前記応答フレームは、前記決定されたフィードバックを含み、かつ前記アップリンクリソースに関連するチャネルコンディションとは無関係に送信される、
を備える、方法。
【請求項２】
前記制御フレームは、トリガフレームである、請求項１に記載の方法。
【請求項３】
前記フィードバックを前記決定することは、
ＲＵの前記セットの各ＲＵに関連するそれぞれのチャネルコンディションを決定することと、ここで、前記それぞれのチャネルコンディションは、クリアチャネルアセスメント（ＣＣＡ）決定、ネットワーク割り振りベクトル（ＮＡＶ）設定、またはチャネル品質情報（ＣＱＩ）に基づいており、
ＲＵの前記セットの各ＲＵに関連する前記それぞれのチャネルコンディションに基づいて順序付けられるＲＵのリストを決定することと
を備える、請求項１〜２のいずれか一項に記載の方法。
【請求項４】
前記送信された応答フレームは、ＲＵの前記順序付けられたリストを含む、請求項３に記載の方法。
【請求項５】
前記フィードバックを前記決定することは、ＲＵの前記セット中の少なくとも１つのＲＵのために好ましい変調およびコーディング方式（ＭＣＳ）を決定することをさらに備える、請求項３または４のいずれか一項に記載の方法。
【請求項６】
前記アップリンクリソースに関連する前記チャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、前記アップリンクリソースに関連するチャネルがビジーであることを示し、前記応答フレームは、前記チャネルがビジーである間に前記アップリンクリソース上で送信される、請求項１〜５のいずれか一項に記載の方法。
【請求項７】
アップリンク送信のために前記局に割り振られたＲＵのサブセットを示す第２の制御フレームを受信することをさらに備え、ＲＵの前記サブセットは、前記アクセスポイントに送信された前記決定されたフィードバックに基づいている、請求項１〜６のいずれか一項に記載の方法。
【請求項８】
ワイヤレス通信のための装置であって、前記装置は、局であり、
アップリンク送信のために前記局にとって利用可能なリソースユニット（ＲＵ）のセットを示す制御フレームをアクセスポイントから受信するための手段と、ここにおいて、前記制御フレームは、ＲＵの前記セットについてのフィードバックを求める要求であり、
前記制御フレーム中に示されたＲＵの前記セットに関連するチャネルコンディションに基づいて、ＲＵの前記セットについてのフィードバックを決定するための手段と、
前記局に割り振られたアップリンクリソース上で応答フレームを送信するための手段と、ここにおいて、前記応答フレームは、前記決定されたフィードバックを含み、かつ前記アップリンクリソースに関連するチャネルコンディションとは無関係に送信される、
を備える、装置。
【請求項９】
前記制御フレームは、トリガフレームである、請求項８に記載の装置。
【請求項１０】
フィードバックを決定するための前記手段は、
ＲＵの前記セットの各ＲＵに関連するそれぞれのチャネルコンディションを決定することと、ここで、前記それぞれのチャネルコンディションは、クリアチャネルアセスメント（ＣＣＡ）決定、ネットワーク割り振りベクトル（ＮＡＶ）設定、またはチャネル品質情報（ＣＱＩ）に基づいており、
ＲＵの前記セットの各ＲＵに関連する前記それぞれのチャネルコンディションに基づいて順序付けられるＲＵのリストを決定することと
を行うようにさらに適合される、請求項８または９のいずれか一項に記載の装置。
【請求項１１】
前記送信された応答フレームは、ＲＵの前記順序付けられたリストを含む、請求項１０に記載の装置。
【請求項１２】
決定するための前記手段は、
ＲＵの前記セット中の少なくとも１つのＲＵのために好ましい変調およびコーディング方式（ＭＣＳ）を決定すること
を行うようにさらに適合される、請求項１０または１１のいずれか一項に記載の装置。
【請求項１３】
前記アップリンクリソースに関連する前記チャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、前記アップリンクリソースに関連するチャネルがビジーであることを示し、
送信するための手段は、前記チャネルがビジーである間に前記アップリンクリソース上で前記応答フレームを送信するようにさらに適合される、
請求項８〜１２のいずれか一項に記載の装置。
【請求項１４】
アップリンク送信のために前記局に割り振られたＲＵのサブセットを示す第２の制御フレームを受信することをさらに備え、ＲＵの前記サブセットは、前記アクセスポイントに送信された前記決定されたフィードバックに基づいている、請求項８〜１３のいずれか一項に記載の装置。
【請求項１５】
プロセッサによって実行されたとき、請求項１〜７のいずれか一項に記載の方法を実施するための命令を備える、コンピュータプログラム。
【手続補正２】
【補正対象書類名】明細書
【補正対象項目名】００９５
【補正方法】変更
【補正の内容】
【００９５】
[00103]  先の説明は、当業者が、ここに説明された様々な態様を実施することができるように提供されている。これらの態様に対する様々な変更は、当業者に容易に理解されるものであり、ここに定義された一般的な原理は、他の態様に適用され得る。したがって、特許請求の範囲は、ここに示される態様に限定されるようには意図されておらず、請求項の文言と一致する最大の範囲を認められるべきであり、ここで、ある要素への単数形での言及は、そのように明確に述べられていない限りは「１つおよび１つのみ」を意味するのではなく、「１つまたは複数」を意味するように意図されている。そうでないとの明確な記載がない限り、「いくつかの（some）」という用語は、１つまたは複数を指す。当業者に知られている、あるいは後に知られることになる本開示全体にわたって説明された様々な態様の要素に対するすべての構造的および機能的な同等物は、参照によってここに明確に組み込まれ、特許請求の範囲に包含されるように意図されている。さらに、本明細書におけるいかなる開示も、そのような開示が特許請求の範囲に明確に記載されているか否かに関わらず、公衆に献呈されることを意図したものではない。特許請求の範囲のいずれの要素も、その要素が「のための手段」という表現を使用して明示的に記載されていない限り、または、方法の請求項のケースでは、その要素が「のためのステップ」という表現を使用して記載されていない限り、米国特許法第１１２条（ｆ）の規定の下で解釈されるべきではない。
以下に本願の出願当初の特許請求の範囲に記載された発明を付記する。
［Ｃ１］
アクセスポイントによるワイヤレス通信の方法であって、
局のセットに、局の前記セットの各局にとって利用可能な、アップリンク送信のためのリソースユニット（ＲＵ）のセットを示すトリガフレームを送信することと、ここにおいて、前記トリガフレームは、各局に対してＲＵの前記セットについてのフィードバックを求める要求を備え、
各局から、前記送信されたトリガフレームに基づいたアップリンクリソース上で、応答フレームを受信することと、ここにおいて、前記応答フレームは、ＲＵの前記セットについての前記フィードバックを含み、かつ前記アップリンクリソースに関連するチャネルコンディションとは無関係に受信され、
を備える、方法。
［Ｃ２］
前記チャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、前記アップリンクリソースに関連するチャネルがビジーであることを示し、各局からの前記応答フレームは、前記チャネルがビジーである間に前記アップリンクリソース上で受信される、Ｃ１に記載の方法。
［Ｃ３］
前記フィードバックはＲＵの前記セットに基づくＲＵの順序付けられたリストであり、ＲＵの前記順序付けられたリストは、ＲＵの前記セットのＲＵがクリアチャネルアセスメント（ＣＣＡ）をクリアとしたかどうか、または各局のチャネル品質情報（ＣＱＩ）選好に基づいて、順序付けられる、Ｃ１に記載の方法。
［Ｃ４］
前記フィードバックはＲＵの前記セットに基づくＲＵの順序付けられたリストであり、ＲＵの前記順序付けられたリストは、リソースユニットの前記セットのサブセットであり、前記方法は、
前記受信された応答フレームと、前記受信された応答フレーム中に示されたＲＵの前記順序付けられたリストとに基づいて、アップリンク送信のためにスケジュールされるべき局のサブセットを決定することと、
アップリンク送信のために局の前記サブセット中の各局に割り振られたＲＵのサブセットを示す第２のトリガフレームを、局の前記サブセットに送信することと、
をさらに備える、Ｃ１に記載の方法。
［Ｃ５］
局の前記サブセットを前記決定することは、
局の前記セットの各局からの前記受信された応答フレームに基づいて、局の前記サブセットを選択することと、
ＲＵの前記順序付けられたリストに基づいて、少なくとも１つのＲＵロケーションを決定することと、
ＲＵの前記順序付けられたリストに基づいて、少なくとも１つのＲＵサイズを決定することと、
を備える、Ｃ４に記載の方法。
［Ｃ６］
前記第２のトリガフレームを送信する前に、ダウンリンクマルチユーザフレームを送信することをさらに備える、Ｃ４に記載の方法。
［Ｃ７］
前記トリガフレームが、各局に対してＲＵの前記セットについてのフィードバックを求める前記要求を示す値を備える、Ｃ１に記載の方法。
［Ｃ８］
ワイヤレス通信のための装置であって、前記装置がアクセスポイントであり、
局のセットに、局の前記セットの各局にとって利用可能な、アップリンク送信のためのリソースユニット（ＲＵ）のセットを示すトリガフレームを送信するための手段と、ここにおいて、前記トリガフレームは、各局に対してＲＵの前記セットについてのフィードバックを求める要求を備え、
各局から、前記送信されたトリガフレームに基づいたアップリンクリソース上で、応答フレームを受信するための手段と、ここにおいて、前記応答フレームは、ＲＵの前記セットについての前記フィードバックを含み、かつ前記アップリンクリソースに関連するチャネルコンディションとは無関係に受信され、
を備える、装置。
［Ｃ９］
前記チャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、前記アップリンクリソースに関連するチャネルがビジーであることを示し、各局からの前記応答フレームは、前記チャネルがビジーである間に前記アップリンクリソース上で受信される、Ｃ８に記載の装置。
［Ｃ１０］
前記フィードバックはＲＵの前記セットに基づくＲＵの順序付けられたリストであり、ＲＵの前記順序付けられたリストは、ＲＵの前記セットのＲＵがクリアチャネルアセスメント（ＣＣＡ）をクリアとしたかどうか、または各局のチャネル品質情報（ＣＱＩ）選好に基づいて、順序付けられる、Ｃ８に記載の装置。
［Ｃ１１］
前記フィードバックはＲＵの前記セットに基づくＲＵの順序付けられたリストであり、ＲＵの前記順序付けられたリストは、リソースユニットの前記セットのサブセットであり、前記装置は、
前記受信された応答フレームと、前記受信された応答フレーム中に示されたＲＵの前記順序付けられたリストとに基づいて、アップリンク送信のためにスケジュールされるべき局のサブセットを決定するための手段と、
アップリンク送信のために局の前記サブセット中の各局に割り振られたＲＵのサブセットを示す第２のトリガフレームを、局の前記サブセットに送信するための手段と、
をさらに備える、Ｃ８に記載の装置。
［Ｃ１２］
局の前記サブセットを決定するための前記手段が、
局の前記セットの各局からの前記受信された応答フレームに基づいて、局の前記サブセットを選択することと、
ＲＵの前記順序付けられたリストに基づいて、少なくとも１つのＲＵロケーションを決定することと、
ＲＵの前記順序付けられたリストに基づいて、少なくとも１つのＲＵサイズを決定することと、
を行うように構成される、Ｃ１１に記載の装置。
［Ｃ１３］
前記トリガフレームが、各局に対してＲＵの前記セットについてのフィードバックを求める前記要求を示す値を備える、Ｃ８に記載の装置。
［Ｃ１４］
ワイヤレス通信のための装置であって、前記装置がアクセスポイントであり、
メモリと、
前記メモリに結合された少なくとも１つのプロセッサと、
を備え、前記少なくとも１つのプロセッサが、
局のセットに、局の前記セットの各局にとって利用可能な、アップリンク送信のためのリソースユニット（ＲＵ）のセットを示すトリガフレームを送信することと、ここにおいて、前記トリガフレームは、各局に対してＲＵの前記セットについてのフィードバックを求める要求を備え、
各局から、前記送信されたトリガフレームに基づいたアップリンクリソース上で、応答フレームを受信することと、ここにおいて、前記応答フレームは、ＲＵの前記セットについての前記フィードバックを含み、かつ前記アップリンクリソースに関連するチャネルコンディションとは無関係に受信され、
を行うように構成される、装置。
［Ｃ１５］
前記チャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、前記アップリンクリソースに関連するチャネルがビジーであることを示し、各局からの前記応答フレームは、前記チャネルがビジーである間に前記アップリンクリソース上で受信される、Ｃ１４に記載の装置。
［Ｃ１６］
前記フィードバックはＲＵの前記セットに基づくＲＵの順序付けられたリストであり、ＲＵの前記順序付けられたリストは、ＲＵの前記セットのＲＵがクリアチャネルアセスメント（ＣＣＡ）をクリアとしたかどうか、または各局のチャネル品質情報（ＣＱＩ）選好に基づいて、順序付けられる、Ｃ１４に記載の装置。
［Ｃ１７］
前記フィードバックはＲＵの前記セットに基づくＲＵの順序付けられたリストであり、ＲＵの前記順序付けられたリストは、リソースユニットの前記セットのサブセットであり、前記少なくとも１つのプロセッサが、
前記受信された応答フレームと、前記受信された応答フレーム中に示されたＲＵの前記順序付けられたリストとに基づいて、アップリンク送信のためにスケジュールされるべき局のサブセットを決定することと、
アップリンク送信のために局の前記サブセット中の各局に割り振られたＲＵのサブセットを示す第２のトリガフレームを、局の前記サブセットに送信することと、
を行うようにさらに構成される、Ｃ１４に記載の装置。
［Ｃ１８］
前記少なくとも１つのプロセッサが、
局の前記セットの各局からの前記受信された応答フレームに基づいて、局の前記サブセットを選択することと、
ＲＵの前記順序付けられたリストに基づいて、少なくとも１つのＲＵロケーションを決定することと、
ＲＵの前記順序付けられたリストに基づいて、少なくとも１つのＲＵサイズを決定することと、
によって、局の前記サブセットを決定するように構成される、Ｃ１７に記載の装置。
［Ｃ１９］
前記少なくとも１つのプロセッサが、前記第２のトリガフレームを送信する前に、ダウンリンクマルチユーザフレームを送信するようにさらに構成される、Ｃ１７に記載の装置。
［Ｃ２０］
前記トリガフレームが、各局に対してＲＵの前記セットについてのフィードバックを求める前記要求を示す値を備える、Ｃ１４に記載の装置。